(57)【特許請求の範囲】
【請求項１】
ワイヤレス通信のための方法であって、
第１のアクセスポイント名（ＡＰＮ）と関連付けられた第１のワイヤレスネットワークに接続することと；
第２のＡＰＮと関連付けられた第２のワイヤレスネットワークに接続することと；
前記第１のワイヤレスネットワークから前記第２のワイヤレスネットワークへの前記第１のＡＰＮのハンドオーバを実行することと；
前記第２のワイヤレスネットワークからの前記第１のＡＰＮのデタッチを実行することと；
を備え、前記第２のＡＰＮについての情報は、前記第１のワイヤレスネットワークから前記第２のワイヤレスネットワークへの前記第１のＡＰＮの前記ハンドオーバの後に、さらに、前記第２のワイヤレスネットワークからの前記第１のＡＰＮのデタッチの後に、ホーム加入者サーバ（ＨＳＳ）によって保持される、方法。
【請求項２】
前記第１のワイヤレスネットワークは、３ＧＰＰネットワークを備え、前記第２のワイヤレスネットワークはＷＬＡＮを備える、請求項１に記載の方法。
【請求項３】
前記第１のワイヤレスネットワークからデタッチするインジケーションを受信することをさらに備え、前記第１のワイヤレスネットワークから前記第２のワイヤレスネットワークへの前記第１のＡＰＮの前記ハンドオーバ、および、前記第２のワイヤレスネットワークからの前記第１のＡＰＮのデタッチは、前記インジケーションに応じて実行される、請求項１に記載の方法。
【請求項４】
前記第１のワイヤレスネットワークは、少なくとも１つのさらなるＡＰＮと関連付けられ、前記方法は、
前記第１のワイヤレスネットワークから前記第２のワイヤレスネットワークへの前記少なくとも１つのさらなるＡＰＮのハンドオーバを実行することと、
前記第２のワイヤレスネットワークからの前記少なくとも１つのさらなるＡＰＮのうちの１または複数のデタッチを実行することと
をさらに備える、請求項１に記載の方法。
【請求項５】
前記第１のワイヤレスネットワークは、第１のＡＰＮセットと関連付けられ、
前記ハンドオーバを実行することは、前記第１のワイヤレスネットワークから前記第２のワイヤレスネットワークへの前記第１のＡＰＮセットの前記ハンドオーバを実行することを備え、
前記デタッチを実行することは、前記第２のワイヤレスネットワークからの前記第１のＡＰＮセットのうちの少なくとも１つのＡＰＮの前記デタッチを実行することを備える、請求項１に記載の方法。
【請求項６】
前記第２のワイヤレスネットワークは、第２のＡＰＮセットと関連付けられる、請求項５に記載の方法。
【請求項７】
前記第２のＡＰＮについての情報は、前記第１のワイヤレスネットワークからの前記第１のＡＰＮのデタッチのために、ホーム加入者サーバ（ＨＳＳ）によって破棄される、請求項１に記載の方法。
【請求項８】
前記第２のワイヤレスネットワークから前記第１のワイヤレスネットワークへのハンドオーバを実行することと；
前記第１のワイヤレスネットワークへのハンドオーバの後に前記第１のワイヤレスネットワークにアタッチすることと；
をさらに備え、前記第２のＡＰＮについての情報はホーム加入者サーバ（ＨＳＳ）から検索され、前記第１のワイヤレスネットワークを介した通信をサポートするために使用される、請求項１に記載の方法。
【請求項９】
前記第１のワイヤレスネットワークに接続すること、前記第２のワイヤレスネットワークに接続すること、前記ハンドオーバを実行すること、および、前記デタッチを実行することは、ユーザ機器（ＵＥ）によって実行される、請求項１に記載の方法。
【請求項１０】
ワイヤレス通信のための装置であって、
第１のアクセスポイント名（ＡＰＮ）と関連付けられた第１のワイヤレスネットワークに接続するための手段と；
第２のＡＰＮと関連付けられた第２のワイヤレスネットワークに接続するための手段と；
前記第１のワイヤレスネットワークから前記第２のワイヤレスネットワークへの第１のＡＰＮのハンドオーバを実行するための手段と；
前記第２のワイヤレスネットワークからの前記第１のＡＰＮのデタッチを実行するための手段と；
を備え、前記第２のＡＰＮについての情報は、前記第１のワイヤレスネットワークから前記第２のワイヤレスネットワークへの前記第１のＡＰＮの前記ハンドオーバの後、さらに、前記第２のワイヤレスネットワークからの前記第１のＡＰＮのデタッチの後に、ホーム加入者サーバ（ＨＳＳ）によって保持される、装置。
【請求項１１】
前記第１のワイヤレスネットワークは、３ＧＰＰネットワークを備え、前記第２のワイヤレスネットワークはＷＬＡＮを備える、請求項１０に記載の装置。
【請求項１２】
前記第１のワイヤレスネットワークからデタッチするインジケーションを受信するための手段をさらに備え、前記第１のワイヤレスネットワークから前記第２のワイヤレスネットワークへの前記第１のＡＰＮの前記ハンドオーバ、および、前記第２のワイヤレスネットワークからの前記第１のＡＰＮのデタッチは、前記インジケーションに応じて実行される、請求項１０に記載の装置。
【請求項１３】
前記第１のワイヤレスネットワークは、少なくとも１つのさらなるＡＰＮと関連付けられ、
前記装置は、
前記第１のワイヤレスネットワークから前記第２のワイヤレスネットワークへの前記少なくとも１つのさらなるＡＰＮの前記ハンドオーバを実行するための手段と、
前記第２のワイヤレスネットワークからの前記少なくとも１つのさらなるＡＰＮのうちの１または複数のデタッチを実行するための手段と
をさらに備える、請求項１０に記載の装置。
【請求項１４】
前記第１のワイヤレスネットワークは、第１のＡＰＮセットと関連付けられ、
前記装置は、
前記第１のワイヤレスネットワークから前記第２のワイヤレスネットワークへの前記第１のＡＰＮセットの前記ハンドオーバを実行することを含む前記ハンドオーバを実行するための手段と、
前記第２のワイヤレスネットワークからの前記第１のＡＰＮセットのうちの少なくとも１つのＡＰＮのデタッチを実行することを含む前記デタッチを実行するための手段と
をさらに備える、請求項１０に記載の装置。
【請求項１５】
前記第２のワイヤレスネットワークは、第２のＡＰＮセットと関連付けられる、請求項１４に記載の装置。
【請求項１６】
前記第２のＡＰＮについての情報は、前記第１のワイヤレスネットワークからの前記第１のＡＰＮのデタッチのために、ホーム加入者サーバ（ＨＳＳ）によって破棄される、請求項１０に記載の装置。
【請求項１７】
前記第２のワイヤレスネットワークから前記第１のワイヤレスネットワークへのハンドオーバを実行するための手段と；
前記第１のワイヤレスネットワークへのハンドオーバの後に前記第１のワイヤレスネットワークにアタッチするための手段と；
をさらに備え、前記第２のＡＰＮについての情報はホーム加入者サーバ（ＨＳＳ）から検索され、前記第１のワイヤレスネットワークを介した通信をサポートするために使用される、請求項１０に記載の装置。
【請求項１８】
前記装置は、ユーザ機器（ＵＥ）を備える、請求項１０に記載の装置。
【請求項１９】
ワイヤレス通信のための装置であって、
第１のアクセスポイント名（ＡＰＮ）と関連付けられた第１のワイヤレスネットワークに接続し；
第２のＡＰＮと関連付けられた第２のワイヤレスネットワークに接続し；
前記第１のワイヤレスネットワークから前記第２のワイヤレスネットワークへの前記第１のＡＰＮのハンドオーバを実行し；
前記第２のワイヤレスネットワークからの前記第１のＡＰＮのデタッチを実行する；
ように構成された少なくとも１つのプロセッサと、
データを記憶するための、前記少なくとも１つのプロセッサに結合されたメモリと、
を備え、前記第２のＡＰＮについての情報は、前記第１のワイヤレスネットワークから前記第２のワイヤレスネットワークへの前記第１のＡＰＮの前記ハンドオーバの後、さらに、前記第２のワイヤレスネットワークからの前記第１のＡＰＮのデタッチの後に、ホーム加入者サーバ（ＨＳＳ）によって保持される、装置。
【請求項２０】
前記第１のワイヤレスネットワークは、３ＧＰＰネットワークを備え、前記第２のワイヤレスネットワークはＷＬＡＮを備える、請求項１９に記載の装置。
【請求項２１】
前記少なくとも１つのプロセッサは、前記第１のワイヤレスネットワークからデタッチするインジケーションを受信するように構成され、
前記第１のワイヤレスネットワークから前記第２のワイヤレスネットワークへの前記第１のＡＰＮの前記ハンドオーバ、および、前記第２のワイヤレスネットワークからの前記第１のＡＰＮのデタッチは、前記インジケーションに応じて実行される、請求項１９に記載の装置。
【請求項２２】
前記第１のワイヤレスネットワークは、少なくとも１つのさらなるＡＰＮと関連付けられ、
前記少なくとも１つのプロセッサは、
前記第１のワイヤレスネットワークから前記第２のワイヤレスネットワークへの前記少なくとも１つのさらなるＡＰＮの前記ハンドオーバを実行し
前記第２のワイヤレスネットワークからの前記少なくとも１つのさらなるＡＰＮのうちの１または複数のデタッチを実行する
ように構成される、請求項１９に記載の装置。
【請求項２３】
前記第１のワイヤレスネットワークは、第１のＡＰＮセットと関連付けられ、
前記少なくとも１つのプロセッサは、
前記第１のワイヤレスネットワークから前記第２のワイヤレスネットワークへの前記第１のＡＰＮセットの前記ハンドオーバを実行することを含む前記ハンドオーバを実行し、
前記第２のワイヤレスネットワークからの前記第１のＡＰＮセットのうちの少なくとも１つのＡＰＮのデタッチを実行することを含む前記デタッチを実行する、
ように構成される、請求項１９に記載の装置。
【請求項２４】
前記第２のワイヤレスネットワークは、第２のＡＰＮセットと関連付けられる、請求項２３に記載の装置。
【請求項２５】
前記第２のＡＰＮについての情報は、前記第１のワイヤレスネットワークからの前記第１のＡＰＮのデタッチのために、ホーム加入者サーバ（ＨＳＳ）によって破棄される、請求項１９に記載の装置。
【請求項２６】
前記少なくとも１つのプロセッサは、
前記第２のワイヤレスネットワークから前記第１のワイヤレスネットワークへのハンドオーバを実行し；
前記第１のワイヤレスネットワークへのハンドオーバの後に前記第１のワイヤレスネットワークにアタッチする；
ように構成され、前記第２のＡＰＮについての情報は、ホーム加入者サーバ（ＨＳＳ）から検索され、前記第１のワイヤレスネットワークを介した通信をサポートするために使用される、請求項１９に記載の装置。
【請求項２７】
前記装置は、ユーザ機器（ＵＥ）を備える、請求項１９に記載の装置。
【請求項２８】
コンピュータ読取可能記憶媒体であって、
少なくとも１つのコンピュータに、第１のアクセスポイント名（ＡＰＮ）と関連付けられた第１のワイヤレスネットワークに接続させるためのコードと；
前記少なくとも１つのコンピュータに、第２のＡＰＮと関連付けられた第２のワイヤレスネットワークに接続させるためのコードと；
前記少なくとも１つのコンピュータに、前記第１のワイヤレスネットワークから前記第２のワイヤレスネットワークへの前記第１のＡＰＮのハンドオーバを実行させるためのコードと；
前記少なくとも１つのコンピュータに、前記第２のワイヤレスネットワークからの前記第１のＡＰＮのデタッチを実行させるためのコードと；
を備え、前記第２のＡＰＮについての情報は、前記第１のワイヤレスネットワークから前記第２のワイヤレスネットワークへの前記第１のＡＰＮの前記ハンドオーバの後、さらに、前記第２のワイヤレスネットワークからの前記第１のＡＰＮのデタッチの後に、ホーム加入者サーバ（ＨＳＳ）によって保持される、コンピュータ読取可能記憶媒体。
【請求項２９】
前記第１のワイヤレスネットワークは、３ＧＰＰネットワークを備え、前記第２のワイヤレスネットワークはＷＬＡＮを備える、請求項２８に記載のコンピュータ読取可能記憶媒体。
【請求項３０】
前記少なくとも１つのコンピュータに、前記第１のワイヤレスネットワークからデタッチするインジケーションを受信させるコードをさらに備え、
前記第１のワイヤレスネットワークから前記第２のワイヤレスネットワークへの前記第１のＡＰＮの前記ハンドオーバ、および、前記第２のワイヤレスネットワークからの前記第１のＡＰＮのデタッチは、前記インジケーションに応じて実行される、請求項２８に記載のコンピュータ読取可能記憶媒体。
【請求項３１】
前記第１のワイヤレスネットワークは、少なくとも１つのさらなるＡＰＮと関連付けられ、
前記少なくとも１つのコンピュータに、
前記第１のワイヤレスネットワークから前記第２のワイヤレスネットワークへの前記少なくとも１つのさらなるＡＰＮの前記ハンドオーバを実行させ、
前記第２のワイヤレスネットワークからの前記少なくとも１つのさらなるＡＰＮのうちの１または複数の前記デタッチを実行させる
ためのコードをさらに備える、請求項２８に記載のコンピュータ読取可能記憶媒体。
【請求項３２】
前記第１のワイヤレスネットワークは、第１のＡＰＮセットと関連付けられ、
前記少なくとも１つのコンピュータに、
前記第１のワイヤレスネットワークから前記第２のワイヤレスネットワークへの前記第１のＡＰＮセットの前記ハンドオーバを実行することを含む前記ハンドオーバを実行させ、
前記第２のワイヤレスネットワークからの前記第１のＡＰＮセットのうちの少なくとも１つのＡＰＮの前記デタッチを実行することを含む前記デタッチを実行させる
ためのコードをさらに備える、請求項２８に記載のコンピュータ読取可能記憶媒体。
【請求項３３】
前記第２のワイヤレスネットワークは、第２のＡＰＮセットと関連付けられる、請求項３２に記載のコンピュータ読取可能記憶媒体。
【請求項３４】
前記第２のＡＰＮについての情報は、前記第１のワイヤレスネットワークからの前記第１のＡＰＮのデタッチのために、ホーム加入者サーバ（ＨＳＳ）によって破棄される、請求項２８に記載のコンピュータ読取可能記憶媒体。
【請求項３５】
前記少なくとも１つのコンピュータに、
前記第２のワイヤレスネットワークから前記第１のワイヤレスネットワークへのハンドオーバを実行させ；
前記第１のワイヤレスネットワークへのハンドオーバの後に前記第１のワイヤレスネットワークにアタッチさせる；
ためのコードをさらに備え、前記第２のＡＰＮについての情報は、ホーム加入者サーバ（ＨＳＳ）から検索され、前記第１のワイヤレスネットワークを介した通信をサポートするために使用される、請求項２８に記載のコンピュータ読取可能記憶媒体。
【請求項３６】
前記少なくとも１つのコンピュータは、少なくとも１つのユーザ機器（ＵＥ）を備える、請求項２８に記載のコンピュータ読取可能記憶媒体。
【発明の詳細な説明】
【技術分野】
【０００１】
［米国特許法１１９条に基づく優先権の主張］
本出願は、本出願の譲受人に譲渡され、参照により全体が明確に本明細書に組み込まれる、２０１０年４月１９日に出願された「METHOD AND APPARATUS FOR DETACHMENT FROM A WIRELESS COMMUNICATION NETWORK」と題する米国仮出願第６１／３２５，７５８号の優先権を主張する。
【０００２】
［I.分野］
本開示は一般に通信に関し、より詳細には、ワイヤレス通信ネットワークからのデタッチメント(detachment)のテクニックに関する。
【背景技術】
【０００３】
[II.背景]
ワイヤレス通信ネットワークは、音声、ビデオ、パケットデータ、メッセージング、ブロードキャストなど、様々な通信コンテンツを提供するために広く展開される。これらのワイヤレスネットワークは、利用可能なネットワークリソースを共有することによって、複数のユーザをサポートすることができる多元接続ネットワークでありうる。このような多元接続ネットワークの例は、符号分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワーク、単一キャリアＦＤＭＡ（ＳＣ−ＦＤＭＡ）ネットワークを含む。
【０００４】
ワイヤレス通信ネットワークは、例えば、ユーザ機器（ＵＥ）など、多数のモバイルエンティティのために通信をサポートすることができる多数の基地局を含みうる。ＵＥは、ダウンリンクおよびアップリンクを介して基地局と通信しうる。ダウンリンク（すなわち、順方向リンク）は、基地局からＵＥへの通信リンクを指し、アップリンク（すなわち、逆方向リンク）は、ＵＥから基地局への通信リンクを指す。
【０００５】
ＵＥは、いつでも、１または複数のワイヤレスネットワークと通信可能でありうる。例えば、ＵＥは、接続を確立し、データを送信／受信するために、ワイヤレスネットワークにアタッチ(attach)しうる。ＵＥは、ワイヤレスネットワークとの通信を終了するために、ワイヤレスネットワークからデタッチ(detach)して、接続を解放しうる。これに関連して、ＵＥが、効率的に所与のワイヤレスネットワークにアタッチすること、および／または、所与のワイヤレスネットワークからデタッチすることを可能にする必要性が存在する。ネットワークエンティティが、効率的なアタッチおよび／または所与のワイヤレスネットワークからのＵＥのデタッチを容易にすることを可能にする必要性も存在する。
【発明の概要】
【０００６】
下記は、そのような実施形態の基本的な理解を提供するために、１または複数の実施形態の簡略化された概要を表す。この概要は企図されるすべての態様の広範囲に及ぶ概観ではなく、すべての実施形態のキーまたは不可欠な要素を識別すること、あるいは、任意またはすべての実施形態の範囲を描写することを企図しない。この唯一の目的は、後に提示されるより詳細な記述への前置きとして、１または複数の実施形態のうちのいくつかのコンセプトを簡易な形で提示することである。
【０００７】
１または複数の実施形態および対応するその開示にしたがって、様々な態様は、ワイヤレス通信ネットワークからＵＥをデタッチする方法に関して記述される。１つの実施形態において、ＵＥまたは同様のものによって実行されうるデタッチ方法が提供される。方法は、第１のアクセスポイント名（ＡＰＮ）と関連付けられた第１のワイヤレスネットワーク（例えば、３ＧＰＰネットワーク）に接続することと、第２のＡＰＮと関連付けられた第２のワイヤレスネットワーク（例えば、ＷＡＮ）に接続することとを含みうる。方法は、第１のワイヤレスネットワークから第２のワイヤレスネットワークへの第１のＡＰＮのハンドオーバを実行することを含みうる。方法は、第２のワイヤレスネットワークからの第１のＡＰＮのデタッチを実行することを含みうる。関連態様において、電子デバイス（例えば、ＵＥまたはそのコンポーネント）は、上に記述された方法を実行するように構成されうる。
【０００８】
別の実施形態において、モビリティ管理エンティティ（ＭＭＥ;mobility management entity）または同様のものによって実行されうるデタッチ方法が提供される。方法は、ＵＥと第１のワイヤレスネットワークとの間の第１の接続と関連付けられた第１のＡＰＮについての情報を記憶することを含み、このＵＥは、第２のＡＰＮと関連付けられた第２のワイヤレスネットワークに対して第２の接続を有しうる。方法は、ＵＥが第１のワイヤレスネットワークから第２のワイヤレスネットワークへの第１のＡＰＮのハンドオーバを実行することに応じて第１のＡＰＮについての情報を除去することを含み、ＵＥは、さらに、第２のワイヤレスネットワークからの第１のＡＰＮのデタッチを実行しうる。関連態様において、電子デバイス（例えば、ＭＭＥまたはそのコンポーネント）は、上に記述された方法を実行するように構成されうる。
【０００９】
さらに別の実施形態において、パケットデータネットワーク（ＰＤＮ;packet data network）ゲートウェイまたは同様のものによって実行されうるデタッチ方法が提供される。方法は、ＵＥと第１のワイヤレスネットワークとの間の第１の接続と関連付けられた第１のＡＰＮについての情報を記憶することを含みうる。方法は、ＵＥと第２のワイヤレスネットワークとの間の第２の接続と関連付けられた第２のＡＰＮについての情報を記憶することを含みうる。方法は、第１のワイヤレスネットワークから第２のワイヤレスネットワークへの第１のＡＰＮのハンドオーバを示すインジケーション(indication)を受信することを含みうる。方法は、ＵＥと第１のワイヤレスネットワークとの間の第１の接続を切断する手順を実行することを含み、この手順の結果として、第２のＡＰＮについての情報がホーム加入者サーバ（ＨＳＳ;home subscriber server）によって保持されうる。関連態様において、電子デバイス（例えば、ＰＤＮゲートウェイまたはそのコンポーネント）は、上に記述された方法を実行するように構成されうる。
【００１０】
さらに別の実施形態において、ＨＳＳまたは同様のものによって実行されうるデタッチ方法が提供される。方法は、ＵＥと第１のワイヤレスネットワークとの間の第１の接続と関連付けられた第１のＡＰＮについての情報を記憶することを含みうる。方法は、ＵＥと第２のワイヤレスネットワークとの間の第２の接続と関連付けられた第２のＡＰＮについての情報を記憶することを含みうる。方法は、ＵＥと第１のワイヤレスネットワークとの間の第１の接続を切断する手順を実行することを含みうる。方法は、この手順の結果として、第１のＡＰＮについての情報を除去すること、および、第２のＡＰＮについての情報を保持することを含みうる。関連態様において、電子デバイス（例えば、ＨＳＳまたはそのコンポーネント）は、上に記述された方法を実行するように構成されうる。
【００１１】
前述および関連した目的を達成するために、１または複数の実施形態は、以下に十分に記述され、請求項で特に示される特徴を備える。以下の記述および添付図は、１または複数の実施形態の実例となる特定の態様を詳細に示す。しかしならが、これらの態様は、様々な実施形態の原理が用いられうる様々な方法のほんの一部しか示さず、記述される実施形態は、そのような態様およびそれらの等化物のすべてを含むことが企図される。
【図面の簡単な説明】
【００１２】
【図１】図１は、ワイヤレス通信ネットワークを示す。
【図２Ａ】図２Ａは、３ＧＰＰネットワークおよびＷＬＡＮを用いた例示的な通信システムを示す。
【図２Ｂ】図２Ｂは、３ＧＰＰネットワークおよびＷＬＡＮの両方を用いて通信するＵＥを示す。
【図２Ｃ】図２Ｃは、３ＧＰＰネットワークからデタッチした後にＷＬＡＮを用いて通信するＵＥを示す。
【図３】図３は、異なるＡＰＮに対して異なるネットワークと通信するＵＥについてのメッセージフローを示すシーケンス図である。
【図４】図４は、所与のワイヤレスネットワークからのＵＥのデタッチのためのテクニックの実施形態を示すシーケンス図である。
【図５Ａ】図５Ａは、ＵＥによって実行可能な例示的なデタッチ方法を示す。
【図５Ｂ】図５Ｂは、図５Ａの方法のさらなる態様を示す。
【図６】図６は、図５Ａ〜Ｂの方法にしたがったワイヤレスネットワークからのデタッチのための例示的な装置を示す。
【図７Ａ】図７Ａは、ＭＭＥによって実行可能な例示的なデタッチ方法を示す。
【図７Ｂ】図７Ｂは、図７Ａの方法のさらなる態様を示す。
【図８】図８は、図７Ａ〜Ｂの方法にしたがったワイヤレスネットワークからのＵＥのデタッチを容易にするための例示的な装置を示す。
【図９Ａ】図９Ａは、ＰＤＮゲートウェイによって実行可能な例示的なデタッチ方法を示す。
【図９Ｂ】図９Ｂは、図９Ａの方法のさらなる態様を示す。
【図１０】図１０は、図９Ａ〜Ｂの方法にしたがったワイヤレスネットワークからのＵＥのデタッチを容易にするための例示的な装置を示す。
【図１１Ａ】図１１Ａは、ＨＳＳによって実行可能な例示的なデタッチ方法を示す。
【図１１Ｂ】図１１Ｂは、図１１Ａの方法のさらなる態様を示す。
【図１２】図１２は、図１１Ａ〜Ｂの方法にしたがったワイヤレスネットワークからのＵＥのデタッチを容易にするための例示的な装置を示す。
【図１３】図１３は、ＵＥ、ワイヤレスネットワーク、ＭＭＥ、ＰＤＮゲートウェイ、およびＨＳＳの例示的な設計を示すブロック図である。
【発明を実施するための形態】
【００１３】
［詳細な説明］
ワイヤレスネットワークからのデタッチのためのテクニックが本明細書に記述される。このテクニックは、ワイヤレス広域ネットワーク（ＷＷＡＮ）およびワイヤレスローカルエリアネットワーク（ＷＬＡＮ）のような、様々なワイヤレス通信ネットワークに対して使用されうる。「ネットワーク（ｎｅｔｗｏｒｋ）」および「システム（ｓｙｓｔｅｍ）」という用語は交換して使用されることが多い。ＷＷＡＮは、ＣＤＭＡ、ＴＤＭＡ、ＦＤＭＡ、ＯＦＤＭＡ、ＳＣ−ＦＤＭＡ、および／または、他のネットワークでありうる。ＣＤＭＡネットワークは、ＵＴＲＡ（Universal Terrestrial Radio Access）、ｃｄｍａ２０００などの無線テクノロジを実施しうる。ＵＴＲＡは、広帯域ＣＤＭＡ（ＷＣＤＭＡ）およびＣＤＭＡの他の変形を含む。ｃｄｍａ２０００は、ＩＳ−２０００、ＩＳ−９５、およびＩＳ−８５６標準をカバーする。ＴＤＭＡネットワークは、ＧＳＭ（登録商標）（Global System for Mobile Communications）などの無線テクノロジを実施しうる。ＯＦＤＭＡネットワークは、次世代ＵＴＲＡ（Ｅ−ＵＴＲＡ）、ウルトラモバイルブロードバンド（ＵＭＢ）、ＩＥＥＥ ８０２.１６（ＷｉＭＡＸ）、ＩＥＥＥ ８０２.２０、フラッシュＯＦＤＭ（Ｆｌａｓｈ−ＯＦＤＭ）などの無線テクノロジを実施しうる。ＵＴＲＡおよびＥ−ＵＴＲＡは、ＵＭＴＳ（Universal Mobile Telecommunication System）の一部である。３ＧＰＰロングタームエボリューション（ＬＴＥ）およびＬＴＥアドバンスド（LTE Advanced）は、ダウンリンクではＯＦＤＭＡを、アップリンクではＳＣ−ＦＤＭＡを用いるＥ−ＵＴＲＡを使用するＵＭＴＳの新リリースである。ＵＴＲＡ、Ｅ―ＵＴＲＡ、ＵＭＴＳ、ＬＴＥ、ＬＥＴ−Ａ、ＧＳＭは、「第３世代パートナーシッププロジェクト」（３ＧＰＰ）という名称の団体からの文書に記述される。ｃｄｍａ２０００およびＵＭＢは、「第３世代パートナーシッププロジェクト２」（３ＧＰＰ２）という名称の団体からの文書に記述される。ＷＬＡＮは、ＩＥＥＥ ８０２.１１（Ｗｉ−Ｆｉ）、ハイパーランなどの無線テクノロジを実施しうる。
【００１４】
本明細書に記述されるテクニックは、上で述べられたワイヤレスネットワークおよび無線テクノロジ、並びに、他のワイヤレスネットワークおよび無線テクノロジに対して使用されうる。明瞭さのために、このテクニックの特定の態様は、３ＧＰＰネットワークおよびＷＬＡＮに関して下に記述され、ＬＴＥおよびＷＬＡＮ用語が下の記述の大部分で使用されうる。「例示的（ｅｘｅｍｐｌａｒｙ）」という用語は、「実例、事例、例証として提供される」を意味するために本明細書で使用される。「例示的」として本明細書に記述されている任意の実施形態は、必ずしも、他の実施形態より有利または優先されると解釈されるべきではない。
【００１５】
図１は、ＬＴＥネットワークまたは他のワイヤレスネットワークでありうるワイヤレス通信ネットワーク１０を示す。ワイヤレスネットワーク１０は、多数の発展型ノードＢ（ｅＮＢ）３０および他のネットワークエンティティを含みうる。ｅＮＢは、モバイルエンティティ（例えば、ユーザ機器（ＵＥ））と通信するエンティティであり、基地局、ノードＢ、アクセスポイントなどとも呼ばれうる。ｅＮＢは典型的に基地局よりも多くの機能を有するが、「ｅＮＢ」および「基地局（base station）」という用語は本明細書において交換可能に使用される。ｅＮＢ ３０の各々は、特定の地理的エリアに対して通信カバレッジを提供し、このカバレッジ内に位置付けられたモバイルエンティティ（例えば、ＵＥ）に対して通信をサポートしうる。ネットワーク容量を改善するために、ｅＮＢのカバレッジエリア全体は、複数（例えば、３つ）のより小さいエリアに分割されうる。より小さいエリアの各々は、それぞれのｅＮＢサブシステムによってサービス提供されうる。３ＧＰＰにおいて、「セル（ｃｅｌｌ）」という用語は、この用語が使用されるコンテキストに依存して、ｅＮＢの最小カバレッジエリア、および／または、このカバレッジエリアにサービス提供するｅＮＢサブシステムを指しうる。
【００１６】
ｅＮＢは、マクロセル、ピコセル、フェムトセル、および／または、他のタイプのセルに対して通信カバレッジを提供しうる。マクロセルは、比較的大きな地理的エリア（例えば、半径数キロ）をカバーし、サービスに加入しているＵＥによる無制限アクセスを可能にしうる。ピコセルは、比較的小さい地理的エリアをカバーし、サービスに加入しているＵＥによる無制限のアクセスを可能にしうる。フェムトセルは、比較的小さい地理的エリア（例えば、ホーム）をカバーし、このフェムトセルと関連性のあるＵＥ（例えば、クローズド加入者グループ（ＣＳＧ）のＵＥ）による制限付きアクセスを可能にしうる。図１に示される例において、ｅＮＢ ３０ａ、３０ｂ、３０ｃは、それぞれ、マクロセルグループ２０ａ、２０ｂ、２０ｃに対するマクロｅＮＢでありうる。セルグループ２０ａ、２０ｂ、２０ｃの各々は、複数（例えば、３つ）のセルまたはセクタを含みうる。ｅＮＢ ３０ｄは、ピコセル２０ｄのピコｅＮＢでありうる。ｅＮＢ ３０ｅは、フェムトセル２０ｅのフェムトｅＮＢまたはフェムトアクセスポイント（ＦＡＰ）でありうる。
【００１７】
ワイヤレスネットワーク１０は、さらに、リレー（図１には示されない）を含みうる。リレーは、アップストリーム局（例えば、ｅＮＢまたはＵＥ）からデータの送信を受信し、ダウンストリーム局（例えば、ＵＥまたはｅＮＢ）にデータの送信を送ることができるエンティティでありうる。リレーは、他のＵＥに対する送信をリレーすることができるＵＥでもありうる。
【００１８】
ネットワークコントローラ５０は、ｅＮＢのセットに結合され、これらのｅＮＢに対して協調と制御を提供しうる。ネットワークコントローラ５０は、単一のネットワークエンティティまたはネットワークエンティティの集合を備えうる。ネットワークコントローラ５０は、バックホールを介してｅＮＢと通信しうる。ｅＮＢは、さらに、例えば、直接的に、あるいは、ワイヤレスまたはワイヤーラインバックホールを介して間接的に互いに通信しうる。
【００１９】
ＵＥ ４０は、ワイヤレスネットワーク１０全体に分散され、各ＵＥは、固定またはモバイルでありうる。ＵＥは、モバイル局、端末、アクセス端末、加入者ユニット、局とも呼ばれうる。ＵＥは、セルラ電話、携帯情報端末（ＰＤＡ）、ワイヤレスモデム、ワイヤレス通信デバイス、ハンドヘルドデバイス、ラップトップコンピュータ、コードレス電話、ワイヤレスローカルループ（ＷＬＬ）局、スマートフォン、ネットブック、スマートブックなどでありうる。ＵＥは、ｅＮＢ、リレーなどと通信することができる。ＵＥは、さらに、他のＵＥとピア・ツー・ピア（Ｐ２Ｐ）で通信することができる。
【００２０】
ワイヤレスネットワーク１０は、ダウンリンクおよびアップリンクのそれぞれに対して単一キャリアまたはマルチキャリア上での動作をサポートしうる。キャリアは、通信に使用される周波数の範囲を指し、特定の特性と関連付けられうる。複数のキャリア上の動作は、マルチキャリア動作またはキャリア集約とも呼ばれうる。ＵＥは、ｅＮＢとの通信のために、ダウンリンク用の１または複数のキャリア（すなわち、ダウンリンクキャリア）並びにアップリンク用の１または複数のキャリア（すなわち、アップリンクキャリア）上で動作しうる。ｅＮＢは、１または複数のダウンリンクキャリア上でＵＥにデータおよび制御情報を送りうる。ＵＥは、１または複数のアップリンクキャリア上でｅＮＢにデータおよび制御情報を送りうる。１つの設計において、ダウンリンクキャリアは、アップリンクキャリアとペアリングされうる。この設計において、所与のダウンリンクキャリア上でのデータ送信をサポートする制御情報は、そのダウンリンクキャリアおよび関連アップリンクキャリア上で送られうる。同様に、所与のアップリンクキャリア上でのデータ送信をサポートする制御情報は、そのアップリンクキャリアおよび関連ダウンリンクキャリア上で送られうる。別の設計において、交差キャリア制御がサポートされうる。この設計において、所与のダウンリンクキャリア上でのデータ送信をサポートする制御情報は、ダウンリンクキャリアの代わりに別のダウンリンクキャリア（例えば、ベースキャリア）上で送られうる。
【００２１】
ワイヤレスネットワーク１０は、所与のキャリアに対してキャリア拡張（carrier extension）をサポートしうる。キャリア拡張について、異なるシステム帯域幅が１つのキャリア上で異なるＵＥに対してサポートされうる。例えば、ワイヤレスネットワークは、（ｉ）第１のＵＥ（例えば、ＬＴＥリリース８または９あるいは他のリリースをサポートするＵＥ）のためのダウンリンクキャリア上の第１のシステム帯域幅、並びに、（ｉｉ）第２のＵＥ（例えば、その後のＬＴＥリリースをサポートするＵＥ）のためのダウンリンクキャリア上の第２のシステム帯域幅をサポートしうる。第２のシステム帯域幅は、完全に、または、部分的に、第１のシステム帯域幅にオーバラップしうる。例えば、第２のシステム帯域幅は、第１のシステム帯域幅と、第１のシステム帯域幅の片側または両側のさらなる帯域幅を含みうる。さらなるシステム帯域幅は、データと、場合によっては制御情報とを第２のＵＥに送るために使用されうる。
【００２２】
ワイヤレスネットワーク１０は、単一入力単一出力（ＳＩＳＯ）、単一入力多出力（ＳＩＭＯ）、多入力単一出力（ＭＩＳＯ）、および／または、多入力多出力（ＭＩＭＯ）を介してデータ送信をサポートしうる。ＭＩＭＯにいて、送信機（例えば、ｅＮＢ）は、複数の送信アンテナから、受信機（例えば、ＵＥ）の複数の受信アンテナにデータを送信しうる。ＭＩＭＯは、信頼性を改善するために（例えば、同一のデータを異なるアンテナから送信することによって）、および／または、スループットを改善するために（例えば、異なるデータを異なるアンテナから送信することによって）使用されうる。
【００２３】
ワイヤレスネットワーク１０は、単一ユーザＭＩＭＯ、マルチユーザＭＩＭＯ、多地点協調(CoMP: Coordinated Multi-Point）などをサポートしうる。ＳＵ−ＭＩＭＯについて、セルは、プリコーディングを用いて／プリコーディングを用いずに、所与の時間周波数リソース上で複数のデータストリームを単一のＵＥに送信しうる。ＭＵ−ＭＩＭＯについて、セルは、プリコーディングを用いて／プリコーディングを用いずに、同一の時間周波数リソース上で複数のＵＥに複数のデータストリーム（例えば、各ＵＥに対して１つのデータストリーム）を送信しうる。ＣｏＭＰは、協調送信および／またはジョイント処理（joint processing）を含みうる。協調送信について、複数のセルは、データ送信が、指定のＵＥに向かって、および／または、１または複数の干渉を受けるＵＥ（interfered UE）から離れてステアリングされるように、所与の時間周波数リソース上で１または複数のデータストリームを単一のＵＥに送信しうる。ジョイント処理について、複数のセルは、プリコーディングを用いて／プリコーディングを用いずに、同一の時間周波数リソース上で複数のＵＥに複数のデータストリームを（例えば、各ＵＥに対して１つのストリームを）送信しうる。
【００２４】
ワイヤレスネットワーク１０は、データ送信の信頼性を改善するためにハイブリッド自動再送（ＨＡＲＱ）をサポートしうる。ＨＡＲＱについて、送信機（例えば、ｅＮＢ）は、データパケットの送信（または、転送ブロック）を送り、必要であれば、受信機（例えば、ＵＥ）によってパケットが正確に復号されるまで、最大数の送信が送られるまで、あるいは、他の終了条件が満たされるまで、１または複数のさらなる送信を送りうる。このように、送信機は、可変数のパケット送信を送りうる。
【００２５】
ワイヤレスネットワーク１０は、同期動作または非同期動作をサポートしうる。同期動作について、ｅＮＢは、同様のフレームタイミングを有し、異なるｅＮＢからの送信は時間的におおまかにアラインされうる。非同期動作について、ｅＮＢは、異なるフレームタイミングを有し、異なるｅＮＢからの送信は時間的にアラインされない可能性がある。
【００２６】
ワイヤレスネットワーク１０は、ＦＤＤまたはＴＤＤを利用しうる。ＦＤＤについて、ダウンリンクおよびアップリンクは、別々の周波数チャネルに割り付けられ、ダウンリンク送信およびアップリンク送信は、２つの周波数チャネル上で同時に送られうる。ＴＤＤについて、ダウンリンクおよびアップリンクは、同一の周波数チャネルを共有し、ダウンリンク送信およびアップリンク送信は、異なる時間期間に同一の周波数チャネル上で送られうる。関連態様において、以下により詳細に記述されるＦＡＰ同期化アルゴリズムは、ＦＤＤまたはＴＤＤ複信を使用してＦＡＰに適用されうる。
【００２７】
図２Ａは、３ＧＰＰネットワーク１２０およびＷＬＡＮ １３０の例示的な展開１００を示す。３ＧＰＰネットワーク１２０は、ＥＰＳ（Evolved Packet System)ネットワーク、ＵＭＴＳ（Universal MobilE Telecommunications System）ネットワーク、あるいは、他の３ＧＰＰネットワークでありうる。ＥＰＳネットワークは、Ｅ−ＵＴＲＡＮ（Evolved Universal Terrestrial Radio Access Network）および１または複数のサービングゲートウェイ（ＳＧＷ）を含みうる（図２Ａには示されない）。Ｅ−ＵＴＲＡＮは、ＵＥに対して無線通信をサポートする多数の発展型ノードＢ（ｅＮＢ）を含みうる。ｅＮＢは、ＵＥと通信するエンティティであり、ノードＢ、基地局、アクセスポイントなどとも呼ばれうる。サービングゲートウェイは、ｅＮＢ間のハンドオーバへのサポート、バッファリング、ＵＥに対するデータのルーティングおよび転送、ネットワーク始動サービス要求手順の開始、課金用のアカウンティング機能など、様々な機能を実行しうる。
【００２８】
モビリティ管理エンティティ（ＭＭＥ）１４０は、非アクセス媒体（ＮＡＳ）に対するシグナリングおよびセキュリティの制御、ＵＥの認証およびモビリティ管理、ＵＥに対するゲートウェイの選択、ベアラ管理機能など、様々な機能を実行しうる。パケットデータネットワーク（ＰＤＮ）ゲートウェイ１５０は、ＵＥに対するインターネットプロトコル（ＩＰ）アドレスのパケットフィルタリングおよび割付、サービスレベルゲート制御およびレート強化、クライアントおよびサーバに対するダイナミックホスト構成プロトコル（ＤＨＣＰ）機能、ゲートウェイＧＰＲＳサポートノード（ＧＧＳＮ）機能など、様々な機能を実行しうる。ＰＤＮゲートウェイ１５０は、インターネット、ホームネットワークオペレータのパケットデータネットワーク、または、ホームネットワークオペレータの外側の公衆またはプライベートパケットデータネットワークでありうるパケットデータネットワーク１７０とデータを交換（例えば、送信および／または受信）しうる。
【００２９】
ホーム加入者サーバ（ＨＳＳ）１６０は、加入関連情報（例えば、ユーザのプロフィール）、および、ＨＳＳ １６０が属するＨＰＬＭＮ（home public land mobile network）にサービス加入しているＵＥの位置情報を記憶しうる。ＨＳＳ １６０は、ＵＥの認証および権限付与を実行し、要求元のネットワークエンティティにＵＥについての情報を提供しうる。ＨＳＳ １６０は、さらに、ＵＥについての他の情報を記憶しうる。
【００３０】
多数のＵＥがワイヤレスネットワーク全体に分散され、各ＵＥは、固定またはモバイルでありうる。簡潔さのために、図２Ａには１つのＵＥ １１０しか示されない。ＵＥ １１０は、モバイル局、端末、アクセス端末、加入者ユニット、局とも呼ばれうる。ＵＥ １１０は、セルラ電話、携帯情報端末（ＰＤＡ）、ワイヤレスモデム、ワイヤレス通信デバイス、ハンドヘルドデバイス、ラップトップコンピュータ、コードレス電話、ワイヤレスローカルループ（ＷＬＬ）局、スマートフォン、ネットブック、スマートブックなどでありうる。ＵＥ １１０は、いつでも、３ＧＰＰネットワーク１２０、ＷＬＡＮ １３０、および／または、他のワイヤレスネットワークと通信することができる。
【００３１】
ＵＥ １１０は、ＨＰＬＭＮにサービス加入し、ＨＳＳ １６０に記憶されたその加入関連情報を有しうる。ＵＥ １１０は、インターネット接続性、ショートメッセージサービス（ＳＭＳ）、インスタントメッセージング（ＩＭ）、ワイヤレスアプリケーションプロトコル（ＷＡＰ）アクセス、マルチメディアストリーミング、マルチメディアメッセージングなどの１または複数のデータサービスを受信しうる。データサービスは、ＩＰマルチメディアサブシステム（ＩＭＳ）サービスとも呼ばれうる。各データサービスは、ＵＥ １１０が接続可能なＰＤＮと関連付けられうるアクセスポイント名（ＡＰＮ;access point name）、データ接続のために使用すべきセッティングのセット、データ接続用のＵＥ １１０のセッティングなどと関連付けられうる。データ接続は、ＩＰアドレスによって表されるＵＥと、ＡＰＮによって表されるＰＤＮとの間の関連性でありうる。データ接続は、さらに、ＩＰ接続、ＰＤＮ接続とも呼ばれうる。ＵＥ １１０は、いつでも、１または複数のＡＰＮと関連付けられた１または複数のデータサービスを受信することができる。
【００３２】
ＡＰＮは、データサービスのためのＰＤＮゲートウェイまたはホームエージェントを選択するために使用される論理名に関する文字列によって与えられうる。異なるネットワークオペレータは別個にＡＰＮを定義しうる。例えば、ネットワークオペレータは、（ｉ）ネットワークオペレータを識別するオペレータ識別子（ＩＤ）、および、（ｉｉ）ネットワークオペレータについてのルーティング情報を特定するネットワークＩＤを含むようにＡＰＮを定義しうる。ネットワークオペレータは、さらに、例えば、「ｓｍｓ．ｘｙｚ．ｃｏｍ」など、サービスに基づいてＡＰＮを定義しうる。ここで、「ｓｍｓ」はサービスを表し、「ｘｙｚ」はネットワークオペレータの名称を表す。一般に、ＡＰＮは、特定のデータサービスのためにＵＥのアタッチのポイントを特定しうる。
【００３３】
ＵＥ １１０は、３ＧＰＰネットワーク１２０およびＷＬＡＮ １３０の両方に同時に接続しうる。ＵＥ １１０は、第１のＡＰＮ（ＡＰＮ Ｘと呼ばれる）と関連付けられたデータサービスを有し、それは、ＰＤＮゲートウェイ１５０と関連付けられ、さらに、３ＧＰＰネットワーク１２０を介して３ＧＰＰアクセスに結合されうる。ＵＥ １１０は、第２のＡＰＮ（ＡＰＮ Ｙと呼ばれる）と関連付けられた別のデータサービスを有し、それは、同様に、ＰＤＮゲートウェイ１５０と関連付けられ、さらに、ＷＬＡＮ １３０を介してＷＬＡＮアクセスに結合されうる。ＵＥ １１０におけるトラフィックデータの特定の無線インターフェースへのマッピングは、ＡＰＮ単位で実行され、精度レベルはＡＰＮごとでありうる。
【００３４】
図２Ｂは、３ＧＰＰネットワーク１２０およびＷＬＡＮ １３０の両方と通信するＵＥ １１０を示す。ＵＥ １１０は、３ＧＰＰネットワーク１２０を介して、ＡＰＮ Ｘについてのすべてのトラフィックデータをルーティングしうる。ＵＥ １１０は、ＷＬＡＮ １２０を介して、ＡＰＮ Ｙについてのすべてのトラフィックデータをルーティングしうる。図２Ｃは、３ＧＰＰネットワーク１２０からのデタッチ後にＷＬＡＮ １３０と通信するＵＥ １１０を示す。ＵＥ １１０は、３ＧＰＰアクセスをオフに切り替え、ＡＰＮ Ｘについてのトラフィックデータを遮断することを望みうる。ＵＥ １１０は、３ＧＰＰネットワーク１２０を介したＡＰＮ Ｘに関するデータ接続を閉鎖／解放するためにデタッチ手順を実行しうる。ＵＥ １１０は、ＷＬＡＮ １３０を介して、ＡＰＮ Ｙに関するすべてのトラフィックデータのルーティングを継続しうる。一般的に、ＵＥ １１０は、３ＧＰＰネットワーク、ＷＬＡＮ、および／または、他のワイヤレスネットワークに接続されうる。ＵＥ １１０は、３ＧＰＰネットワークを介して、１または複数のＡＰＮについてのトラフィックデータを交換しうる。ＵＥ １１０は、３ＧＰＰネットワークと関連付けられたすべてのＡＰＮに関するデータ接続の閉鎖を望みうる。これは、以下に記述されるように達成されうる。
【００３５】
図３は、異なるＡＰＮに対して異なるワイヤレスネットワークと通信するＵＥ １１０についてのメッセージフロー３００を示す。ＵＥ １１０は、３ＧＰＰネットワーク１２０およびＷＬＡＮ １３０に接続されうる（ステップ１）。ＵＥ １１０は、３ＧＰＰネットワーク１２０を介して３ＧＰＰアクセスに結合され、ＰＤＮゲートウェイ１５０と関連付けられたＡＰＮ Ｘを有しうる。ＵＥ １１０は、さらに、ＷＬＡＮ １３０を介してＷＬＡＮアクセスに結合され、かつ、ＰＤＮゲートウェイ１５０と関連付けられたＡＰＮ Ｙを有しうる。
【００３６】
ＭＭＥ １４０、ＰＤＮゲートウェイ１５０、および、ＨＳＳ １６０は、ＡＰＮ Ｘと関連付けられた３ＧＰＰアクセスおよびＡＰＮ Ｙと関連付けられたＷＬＡＮアクセスのためにＵＥ １１０についてのコンテキストを記憶しうる。各ネットワークエンティティに記憶されたコンテキストは、各ＡＰＮと関連付けられたデータサービスおよびデータ接続についての関連情報を含みうる。ＭＭＥ １４０は、３ＧＰＰネットワーク１２０を介した３ＧＰＰアクセスのためにＵＥ １１０に関するＡＰＮ Ｘに対してＰＤＮゲートウェイ１５０を使用することを示すコンテキストを記憶しうる。ＰＤＮゲートウェイ１５０は、ＵＥ １１０のために、ＡＰＮ Ｘに対するホームアドレス（ＨｏＡ）ｘの使用およびＡＰＮ Ｙに対するＨｏＡ ｙの使用を示すコンテキストを記憶しうる。ホームアドレスは、ＰＤＮゲートウェイによってＵＥに割り付けられたＩＰアドレスであり、ＵＥは、この割り付けられたホームアドレスを、そのアプリケーションのためのＩＰアドレスとして使用しうる。図３において、ＨｏＡ ｘは、ＡＰＮ Ｘと関連付けられたＰＤＮのＩＰアドレスであり、ＨｏＡ ｙは、ＡＰＮ Ｙと関連付けられたＩＰアドレスでありうる。ＰＤＮゲートウェイ１５０は、ＨｏＡ ｘを使用してＡＰＮ Ｘについてのトラフィックデータをルーティングし、ＨｏＡ ｙを使用してＡＰＮ Ｙについてのトラフィックデータをルーティングしうる。ＨＳＳ １６０は、ＵＥ １１０のためにＡＰＮ ＸおよびＡＰＮ Ｙの両方に対してＰＤＮゲートウェイ１５０を使用することを示すコンテキストを記憶しうる。
【００３７】
ＵＥ １１０は、３ＧＰＰネットワーク１２０およびＰＤＮゲートウェイ１５０を介してＡＰＮ Ｘについてのトラフィックデータを交換し、および／または、ＷＬＡＮ １３０およびＰＤＮゲートウェイ１５０を介してＡＰＮ Ｙについてのトラフィックデータを交換しうる。ある時点で、ＵＥ １１０または３ＧＰＰネットワーク１２０は、ＵＥ １１０を３ＧＰＰネットワーク１２０からデタッチするデタッチ手順を開始しうる（ステップ２）。デタッチ手順の一部として、ＭＭＥ １４０は、ＵＥ １１０についてのすべてのコンテキストを除去しうる。ＭＭＥ １４０は、さらに、現在の３ＧＰＰ標準にしたがってＵＥ １１０についてのすべてのコンテキストを除去することをＨＳＳ １６０に知らせうる（ステップ３）。ＰＤＮゲートウェイ１５０は、ＡＰＮ Ｘのコンテキストを除去し、ＵＥ １１０のためにＡＰＮ Ｙのコンテキストを保持しうる。デタッチ手順が完了した後、ＰＤＮゲートウェイ１５０だけが、ＵＥ １１０についてのコンテキストを記憶しうる。
【００３８】
３ＧＰＰネットワーク１２０からデタッチした後、ＵＥ １１０は、ＷＬＡＮ １３０に接続し、ＷＬＡＮ １３０およびＰＤＮゲートウェイ１５０を介してＡＰＮ Ｙについてのトラフィックデータを交換しうる（ステップ４）。ＵＥ １１０は、ＡＰＮ Ｙについて、ＷＬＡＮ １３０から３ＧＰＰネットワーク１２０にハンドオーバされうる（ステップ５）。次に、ＵＥ １１０は、３ＧＰＰネットワーク１２０にアタッチするためのアタッチ手順を実行しうる（ステップ６）。しかしながら、ＨＳＳ １６０は、前のデタッチ手順の間に、ＵＥ １１０のＡＰＮ Ｙについてのコンテキストを消去している。結果として、ＭＭＥ １４０は、ＡＰＮ Ｘについての関連情報をＨＳＳ １６０から取得することができず、ＡＰＮ Ｙについてのトラフィックデータのルーティングに使用すべき適切なＰＤＮゲートウェイを決定することができない。
【００３９】
メッセージフロー３００で示されるように、ＭＭＥ １４０は、ＵＥ １１０が、ＷＬＡＮ １３０から３ＧＰＰネットワーク１２０へのＡＰＮ Ｙの移動を試みた場合、ＡＰＮ Ｙについての情報をＨＳＳ １６０から受信することができない可能性がある。結果として、以下の誤りケースのうちの１または複数が生じうる。・ＭＭＥ １４０は、同じＡＰＮ Ｙについて、新しいＰＤＮゲートウェイをＵＥ １１０に割り当てうる。・ＵＥ １１０は、３ＧＰＰネットワーク１２０においてＥ−ＵＴＲＡＮでＩＰｖ６プリフィックスを取得し、かつ、このＩＰｖ６プリフィックスは、ホームネットワークプリフィックス（ＨＮＰ）についてＩＰｖ６プリフィックスとは異なるため、セッション接続性は提供されないであろう。上記の誤りケースは、３ＧＰＰネットワーク１２０からのＡＰＮ Ｙのデタッチの後にＡＰＮ Ｙについての情報がＨＳＳ １６０で維持される場合に回避されうる。
【００４０】
ある態様において、３ＧＰＰネットワーク１２０の未決のＡＰＮ Ｘ、および、ＷＬＡＮ １３０のＡＰＮ Ｙを有するＵＥ １１０は、第１に３ＧＰＰネットワーク１２０からＷＬＡＮ １３０へのＡＰＮ Ｘのハンドオーバを実行し、次に、ＷＬＡＮ １３０からのＡＰＮ Ｘのデタッチを実行することによって、）ＡＰＮ Ｙについての情報が３ＧＰＰネットワーク１２０からのデタッチによりＨＳＳ １６０によって破棄（（図３に示される）されないようにしうる。３ＧＰＰネットワーク１２０からのデタッチは、図３に示されるようなに、ＨＳＳ １６０から除去されているＡＰＮ ＸとＡＰＮ Ｙの両方についてのすべてのコンテキストに帰着しうる。ＡＰＮ ＸについてのＷＬＡＮ １３０からのデタッチは、ＨＳＳ １６０から除去されているＡＰＮ Ｘについてのコンテキストのみに帰着しうる。ＡＰＮ Ｙについての情報は、ＷＬＡＮ １３０を介してＡＰＮ Ｘのデタッチを実行した後に、ＨＳＳ １６０によって保持されうる。
【００４１】
図４は、異なるＡＰＮに対して異なるワイヤレスネットワークと通信し、すべてのコンテキストはＨＳＳ １６０から除去しない方法でデタッチを実行するＵＥ １１０についてのメッセージフロー４００を示す。ＵＥ １１０は、３ＧＰＰネットワーク１２０およびＷＬＡＮ １３０に接続されうる（ステップ１）。ＵＥ １１０は、３ＧＰＰネットワーク１２０を介して３ＧＰＰアクセスに結合され、ＰＤＮゲートウェイ１５０と関連付けられたＡＰＮ Ｘを有しうる。ＵＥ １１０は、さらに、ＷＬＡＮ １３０を介してＷＬＡＮアクセスに結合され、ＰＤＮゲートウェイ１５０と関連付けられたＡＰＮ Ｙを有しうる。ＭＭＥ １４０は、ＵＥ １１０のためにＡＰＮ Ｘについてのコンテキストを記憶しうる。ＰＤＮ ゲートウェイ１５０は、ＵＥ １１０のためにＡＰＮ ＸおよびＡＰＮ Ｙの両方についてのコンテキストを記憶しうる。ＨＳＳ １６０は、ＵＥ １１０のためにＡＰＮ ＸおよびＡＰＮ Ｙの両方についてのコンテキストを記憶しうる。
【００４２】
ＵＥ １１０は、３ＧＰＰネットワーク１２０およびＰＤＮゲートウェイ１５０を介してＡＰＮ Ｘについてのトラフィックデータを交換し、および／または、ＷＬＡＮ １３０およびＰＤＮゲートウェイ１５０を介してＡＰＮ Ｙについてのトラフィックデータを交換しうる。ある時点で、ＵＥ １１０または３ＧＰＰネットワーク１２０が、ＵＥ １１０を３ＧＰＰネットワーク１２０からデタッチすることを望みうる。次に、ＵＥ １１０は、３ＧＰＰネットワーク１２０からＷＬＡＮ １３０へのＡＰＮ Ｘのハンドオーバを実行しうる（ステップ２）。ハンドオーバの一部として、ＰＤＮゲートウェイ１５０は、３ＧＰＰアクセスにおけるＰＤＮゲートウェイ始動ＰＤＮ切断手順、あるいは、ＰＤＮゲートウェイ始動ベアラ非アクティブ化手順（bearer deactivation procedure）を実行しうる。ＰＤＮ切断手順またはベアラ非アクティブ化手順の結果として、ＭＭＥ １４０およびＨＳＳ １６０は、ＵＥ １１０のＡＰＮ Ｘについてのコンテキストを除去しうる。しかしながら、ＨＳＳ １６０は、ＵＥ １１０のＡＰＮ Ｙについてのコンテキストを保持しうる。次に、ＵＥは、ＷＬＡＮ １３０からのＡＰＮ Ｘのデタッチを実行しうる（ステップ３）。デタッチの結果として、ＰＤＮゲートウェイ１５０は、ＡＰＮ Ｘについてのコンテキストを除去するが、ＵＥ １１０のＡＰＮ Ｙについてのコンテキストを保持しうる。
【００４３】
ＡＰＮ Ｘのデタッチの後、ＵＥ １１０は、ＡＰＮ Ｙに対して、ＷＬＡＮ １３０から３ＧＰＰネットワーク１２０にハンドオーバされうる（ステップ４）。ＵＥ １１０は、３ＧＰＰネットワーク１２０にアタッチするためのアタッチ手順を実行しうる（ステップ５）。ＭＭＥ １４０は、ＨＳＳ １６０からＡＰＮ Ｙについてのコンテキストを検索し（ステップ６）、ＡＰＮ Ｙについてのトラフィックデータのルーティングに使用すべき適切なＰＤＮゲートウェイを決定することができる。このように、ＵＥ １１０は、３ＧＰＰネットワーク１２０およびＰＤＮゲートウェイ１５０を介してＡＰＮ Ｙについてのトラフィックデータを交換しうる。
【００４４】
図４に示されるように、ＵＥ １１０は、３ＧＰＰネットワーク１２０からＷＬＡＮ １３０にＡＰＮ Ｘをハンドオーバし、次に、ＷＬＡＮ １２０を介してＡＰＮ Ｘのデタッチを実行しうる。これは、ＨＳＳ １６０が、３ＧＰＰネットワークからのＡＰＮ Ｘのデタッチにより、ＵＥ １１０についてのすべてのコンテキストを消去しないようにする。一般的に、３ＧＰＰネットワーク１２０からデタッチする前に、ＵＥ １１０は、ＷＬＡＮ １２０に、すべてのＡＰＮ、さらには除去されるべきＡＰＮでさえハンドオーバしうる。ＷＬＡＮ １２０へのハンドオーバは、３ＧＰＰアクセスにおいてＰＤＮ切断手順をトリガするが、ＨＳＳ １６０におけるＵＥ １１０についてのコンテキストの除去をトリガするわけではない。非３ＧＰＰアクセスを介した後続のデタッチは、現在の３ＧＰＰ標準下では、ＨＳＳ １６０における状態消去（state cleaning）をトリガしない。結果として、ＨＳＳ １６０は、ＵＥ １１０の非３ＧＰＰのＡＰＮについてのコンテキストを保持するであろう。
【００４５】
本明細書に例示および記述された例示的なシステムの観点から、開示された主題にしたがって実施されうる方法は、様々なフローチャートを参照してより認識されるであろう。説明の簡潔さのために、この方法は、一連の動作／ブロックで提示および記述されているが、いくつかのブロックは、本明細書に描写および記述されたものとは異なる順序で、および／または、他のブロックと実質的に同時に生じうるため、請求される主題がこのブロックの数または順序によって制限されないことは理解および認識されるべきである。さらに、本明細書に記述された方法を実施するために示されたすべてのブロックが要求されるわけでない可能性がある。ブロックと関連付けられた機能が、ソフトウェア、ハードウェア、それらの組み合わせ、または、あらゆる他の適切な手段（例えば、デバイス、システム、プロセス、または、コンポーネント）によって実施されうることは認識されるべきである。加えて、本明細書全体を通して開示される方法が、様々なデバイスへのそのような方法の移送および転送を容易にするために、製品（article of manufacture）に記憶可能であることはさらに認識されるべきである。当業者は、方法が、状態ダイアグラムのような、一連の相関状態またはイベントとして、別の方法で表されうることを理解および認識するであろう。
【００４６】
本開示の主題の１または複数の態様にしがたがって、図５Ａは、ワイヤレス通信のための方法／プロセス５００の設計を示す。方法５００は、ＵＥ（下に記述されるように）、または、他のエンティティによって実行されうる。ＵＥは、第１のＡＰＮと関連付けられた第１のワイヤレスネットワーク（例えば、３ＧＰＰネットワーク）に接続しうる（ブロック５１２）。ＵＥは、さらに、第２のＡＰＮと関連付けられた第２のワイヤレスネットワーク（例えば、ＷＬＡＮ）に接続しうる（ブロック５１４）。１つの設計において、第１のワイヤレスネットワークは、３ＧＰＰネットワーク（例えば、ＥＰＳネットワーク）を備え、第２のワイヤレスネットワークは、ＷＬＡＮを備えうる。第１および第２のワイヤレスネットワークは、さらに、他のタイプのワイヤレスネットワークを備えうる。
【００４７】
ＵＥは、第１のワイヤレスネットワークから第２のワイヤレスネットワークへの第１のＡＰＮのハンドオーバを実行しうる（ブロック５１６）。次に、ＵＥは、第２のワイヤレスネットワークからの第１のＡＰＮのデタッチを実行しうる（ブロック５１８）。１つの設計において、ＵＥは、第１のワイヤレスネットワークからデタッチするインジケーションを受信しうる。ブロック５１６におけるハンドオーバおよびブロック５１８におけるデタッチは、このインジケーションに応じて実行されうる。ＨＳＳは、ブロック５１６におけるハンドオーバの後に、並びに、ブロック５１８のデタッチの後に、第２のＡＰＮについての情報を保持しうる。ＨＳＳは、第１のワイヤレスネットワークからの第１のＡＰＮのデタッチが実行されると、第２のＡＰＮについての情報を破棄しうる。
【００４８】
一般的に、ＵＥは、第１のワイヤレスネットワークと関連付けられた任意の数のＡＰＮを有しうる。ＵＥは、第１のワイヤレスネットワークからデタッチするインジケーションを受信し、第１のワイヤレスネットワークと関連付けられたＡＰＮのうちのいくつかあるいはすべてを切断することを望みうる。ＵＥは、ブロック５１２において第１のワイヤレスネットワークと関連付けられたすべてのＡＰＮのハンドオーバを実行し、ブロック５１４において、除去されるべき各ＡＰＮに対してデタッチを実行しうる。
【００４９】
ＵＥは、第２のワイヤレスネットワークから第１のワイヤレスネットワークへのハンドオーバを実行し、および／または、第１のワイヤレスネットワークへのハンドオーバの後に第１のワイヤレスネットワークにアタッチしうる（図５Ｂのブロック５６０、５６２参照）。第２のＡＰＮについての情報がＭＭＥによってＨＳＳから検索され、第１のワイヤレスネットワークを介したＵＥのための通信をサポートするために使用されうる。
【００５０】
図５Ｂに関して、オプションであり、デタッチのためにＵＥまたは同様のものによって実行されうる方法５００のさらなる動作また態様が示される。方法５００が、図５Ｂの少なくとも１つのブロックを含む場合、方法５００は、少なくとも１つのブロックの後に終了し、それは、示されうる任意の後続のダウンストリームブロックを必ずしも含む必要はない。ブロックの数が、方法５００にしたがってブロックが実行されうる特定の順序を暗示しないことにさらに注意されたい。同じことが、それぞれ方法７００、９００、１１００の図７Ｂ、９Ｂ、１１Ｂに示されるオプションブロックに対して適用されることに注意されたい。
【００５１】
再度図５Ｂに関して、方法５００は、さらに、第１のワイヤレスネットワークからデタッチするインジケーションを受信することを含み、ここにおいて、第１のワイヤレスネットワークから第２のワイヤレスネットワークへの第１のＡＰＮのハンドオーバ、および、第２のワイヤレスネットワークからの第１のＡＰＮのデタッチは、インジケーションに応じて実行される（ブロック５３０）。関連態様において、第１のワイヤレスネットワークは、少なくとも１つのさらなるＡＰＮと関連付けられ、方法５００は以下を含みうる：第１のワイヤレスネットワークから第２のワイヤレスネットワークへの少なくとも１つのさらなるＡＰＮのハンドオーバを実行すること（ブロック５４０）；および／または、第２のワイヤレスネットワークからの少なくとも１つのさらなるＡＰＮのうちの１または複数のデタッチを実行すること（ブロック５４２）。
【００５２】
さらなる関連態様において、第１のワイヤレスネットワークは、第１のＡＰＮセットと関連付けられ、方法５００は以下を含みうる：第１のワイヤレスネットワークから第２のワイヤレスネットワークへの第１のＡＰＮセットのハンドオーバを実行すること（ブロック５５０）；および／または、第２のワイヤレスネットワークからの第１のＡＰＮセットのうちの少なくとも１つのＡＰＮのデタッチを実行すること（ブロック５５２）。第２のワイヤレスネットワークは、ＡＰＮの第２のセットと関連付けられうる。
【００５３】
さらなる関連態様において、方法５００は、以下を含みうる：第２のワイヤレスネットワークから第１のワイヤレスネットワークへのハンドオーバを実行すること（ブロック５６０）；および／または、第１のワイヤレスネットワークへのハンドオーバの後に第１のワイヤレスネットワークにアタッチすること、ここにおいて、第２のＡＰＮについての情報は、ＨＳＳから検索され、第１のワイヤレスネットワークを介して通信をサポートするために使用される（ブロック５６２）。
【００５４】
本明細書で記述された実施形態のうちの１または複数の態様にしたがって、図５Ａ〜Ｂに関して上に記述されたデタッチのためのデバイスおよび装置が提供される。図６に関して、通信をサポートするために、ワイヤレスネットワーク内のＵＥまたは同様のものとして、あるいは、ＵＥ内で使用するためのプロセッサまたは同様のデバイスとして構成されうる例示的な装置６００が提供される。装置６００は、プロセッサ、ソフトウェア、または、その組み合わせ（例えば、ファームウェア）によって実施される機能を表しうる機能ブロックを含みうる。例えば、装置６００は、以下を含みうる：第１のＡＰＮと関連付けられた第１のワイヤレスネットワークに接続するためのモジュール６１２；第２のＡＰＮと関連付けられた第２のワイヤレスネットワークに接続するためのモジュール６１４；第１のワイヤレスネットワークから第２のワイヤレスネットワークへの第１のＡＰＮのハンドオーバを実行するためのモジュール６１６；および、第２のワイヤレスネットワークからの第１のＡＰＮのデタッチを実行するためのモジュール６１８。
【００５５】
関連態様において、装置６００は、オプション的に、装置６００がプロセッサというよりはむしろネットワークエンティティとして構成された場合に、少なくとも１つのプロセッサを有するプロセッサコンポーネント６５０を含みうる。プロセッサ６５０は、この場合、バス６５２または同様の通信カップリングを介してコンポーネント６１２〜６１８と動作的な通信状態にありうる。プロセッサ６５０は、電子コンポーネント６１２〜６１８によって実行されるプロセスまたは機能の開始およびスケジューリングを達成しうる。
【００５６】
さらなる関連態様において、装置６００は、無線トランシーバコンポーネント６５４を含みうる。独立型受信機および／または独立型送信機が、トランシーバ６５４の代わりに、あるいは、それと共に使用されうる。装置６００は、オプション的に、例えば、メモリデバイス／コンポーネント６５６など、情報を記憶するためのコンポーネントを含みうる。コンピュータ可読媒体またはメモリコンポーネント６５６は、バス６５２または同様のものを介して、装置６００の他のコンポーネントに動作的に結合されうる。メモリコンポーネント６５６は、コンポーネント６１２〜６１８およびその従属コンポーネント、あるいは、プロセッサ６５０、または本明細書に開示された方法のプロセスおよび挙動を達成するためのコンピュータ可読命令およびデータを記憶することに適している。メモリコンポーネント６５６は、コンポーネント６１２〜６１８と関連付けられた機能を実行するための命令を保持しうる。メモリ６５６の外側にあるように示されているが、コンポーネント６１２〜６１８がメモリ６５６内に存在可能であることは理解されるべきである。図６（並びに、下に詳細に論述された図８、１０、１２）のモジュールが、プロセッサ、電子デバイス、ハードウェアデバイス、電子コンポーネント、論理回路、メモリ、ソフトウェアコード、ファームウェアコードなど、あるいは、それらのあらゆる組み合わせを備えうることにさらに注意されたい。
【００５７】
本明細書に開示される１または複数の態様にしがたがって、図７Ａは、通信をサポートするための方法７００の設計を示す。方法７００は、ＭＭＥ（下に記述されるように）、または、他のエンティティによって実行されうる。ＭＭＥは、ＵＥと、例えば、３ＧＰＰネットワークなどの第１のワイヤレスネットワークとの間の第１の接続と関連付けられた第１のＡＰＮについての情報を記憶しうる（ブロック７１２）。ＵＥは、第２のＡＰＮと関連付けられた第２のワイヤレスネットワーク（例えば、ＷＬＡＮ）に対して第２の接続を有しうる。ＭＭＥは、ＵＥが第１のワイヤレスネットワークから第２のワイヤレスネットワークへの第１のＡＰＮのハンドオーバを実行することに応じて、第１のＡＰＮについての情報を除去しうる（ブロック７１４）。ＵＥは、さらに、第２のワイヤレスネットワークからの第１のＡＰＮのデタッチを実行しうる。ＭＭＥは、その後、第２のワイヤレスネットワークから第１のワイヤレスネットワークへのハンドオーバのためにＵＥのアタッチを実行し、および／または、ＵＥのアタッチのためにＨＳＳから第２のＡＰＮについての情報を検索しうる（図７Ｂのブロック７２０および７２２参照）。
【００５８】
図７Ｂに関して、オプションであり、デタッチのためにＭＭＥまたは同様のものによって実行されうる方法７００のさらなる動作また態様が示される。例えば、方法７００は、さらに、以下を含みうる：第２のワイヤレスネットワークから第１のワイヤレスネットワークへのハンドオーバのためにＵＥのアタッチを実行すること（ブロック７２０）；および／または、ＵＥのアタッチのためにＨＳＳから第２のＡＰＮについての情報を検索すること（ブロック７２２）。関連態様において、第１のワイヤレスネットワークは、第１のＡＰＮセットと関連付けられ、方法７００は、ＵＥが第１のワイヤレスネットワークから第２のワイヤレスネットワークへの第１のＡＰＮセットのハンドオーバを実行することに応じて、第１のＡＰＮセットの少なくとも１つのＡＰＮについての情報を除去することを含み、ＵＥは、さらに、第２のワイヤレスネットワークからの第１のＡＰＮセットのちの少なくとも１つのＡＰＮのデタッチを実行する（ブロック７３０）。さらなる関連態様において、第２のワイヤレスネットワークは、ＡＰＮの第２のセットと関連付けられうる。
【００５９】
本明細書に記述される実施形態のうちの１または複数の態様にしたがって、図８は、図７Ａ〜Ｂに関して上に記述されたデタッチのための装置８００（例えば、ＭＭＥまたはそのコンポーネント）の設計を示す。例えば、装置８００は、以下を含みうる：ＵＥと第１のワイヤレスネットワークとの間の第１の接続と関連付けられた第１のＡＰＮについての情報を記憶するためのモジュール８１２、なお、ＵＥは、第２のＡＰＮと関連付けられた第２のワイヤレスネットワークに対する第２の接続を有する；ＵＥが第１のワイヤレスネットワークから第２のワイヤレスネットワークへの第１のＡＰＮのハンドオーバを実行することに応じて、第１のＡＰＮについての情報を除去するためのモジュール８１４、なお、ＵＥは、さらに、第２のワイヤレスネットワークからの第１のＡＰＮのデタッチを実行する。簡潔さのために、装置８００についての詳細の残りがさらに説明されることはないが、装置８００の残りの特徴および態様が、図６の装置６００に関して上に記述されたものと実質的に同様であることは理解されるべきである。
【００６０】
本明細書に開示される実施形態の１または複数の態様にしがたがって、図９Ａは、通信をサポートするための方法９００の設計を示す。方法９００は、ＰＤＮゲートウェイ（下に記述されるような）、または、他のエンティティによって実行されうる。ＰＤＮゲートウェイは、ＵＥと、例えば、３ＧＰＰネットワークなどの第１のワイヤレスネットワークとの間の第１の接続と関連付けられた第１のＡＰＮについての情報を記憶しうる（ブロック９１２）。ＰＤＮゲートウェイは、さらに、ＵＥと、例えば、ＷＬＡＮなどの第２のワイヤレスネットワークとの間の第２の接続と関連付けられた第２のＡＰＮについての情報を記憶しうる（ブロック９１４）。ＰＤＮゲートウェイは、第１のＡＰＮについての情報に基づいて第１のＡＰＮのトラフィックデータを転送し、第２のＡＰＮについての情報に基づいて第２のＡＰＮのトラフィックデータを転送しうる。
【００６１】
ＰＤＮゲートウェイは、第１のワイヤレスネットワークから第２のワイヤレスネットワークへの第１のＡＰＮのハンドオーバを示すインジケーションを受信しうる（ブロック９１６）。ＰＤＮゲートウェイは、ＵＥと第１のワイヤレスネットワークとの間の第１の接続を切断する手順を実行しうる（ブロック９１８）。この手順は、ＰＤＮ切断手順、または、ベアラ非アクティブ化手順、または、他の手順を備えうる。ＨＳＳは、この手順の結果として第２のＡＰＮについての情報を保持しうる。
【００６２】
ＰＤＮゲートウェイは、第２のワイヤレスネットワークからの第１のＡＰＮのデタッチを実行し、および／または、第２のワイヤレスネットワークからの第１のＡＰＮのデタッチの結果として第１のＡＰＮについての情報を除去しうる（図９Ｂのブロック９４０、９４２参照）。ＵＥは、その後、第２のワイヤレスネットワークから第１のワイヤレスネットワークへのハンドオーバを実行しうる。次に、ＰＤＮゲートウェイは、第２のＡＰＮについての情報に基づいて第１のワイヤレスネットワークを介して第２のＡＰＮのトラフィックデータを転送しうる。
【００６３】
図９Ｂに関して、オプションであり、デタッチのためにＰＤＮゲートウェイまたは同様のものによって実行されうる方法９００のさらなる動作また態様が示される。例えば、方法９００は、以下を含みうる：第１のＡＰＮについての情報に基づいて第１のＡＰＮについてのトラフィックデータを転送すること（ブロック９３０）；および／または、第２のＡＰＮについての情報に基づいて第２のＡＰＮについてのトラフィックデータを転送すること（ブロック９３２）。方法９００は、以下を含みうる：第２のワイヤレスネットワークからの第１のＡＰＮのデタッチを実行すること（ブロック９４０）；および／または、第２のワイヤレスネットワークからの第１のＡＰＮについてのデタッチの結果として第１のＡＰＮについての情報を除去すること（ブロック９４２）。
【００６４】
関連態様において、第１のワイヤレスネットワークは、第１のＡＰＮセットと関連付けられ、方法９００は、第１のワイヤレスネットワークから第２のワイヤレスネットワークへの第１のＡＰＮセットのハンドオーバを示すインジケーションを受信することを含みうる（ブロック９５０）。さらなる関連態様において、第２のワイヤレスネットワークは、第２のＡＰＮセットと関連付けられ、第２のＡＰＮセットについての情報は、ＨＳＳによって保持されうる。さらなる関連態様において、方法９００は、以下を含みうる：第２のワイヤレスネットワークからの第１のＡＰＮセットの少なくとも１つのＡＰＮのデタッチを実行すること（ブロック９６０）；および／または、第２のワイヤレスネットワークからの第１のＡＰＮセットのデタッチの結果として第１のＡＰＮセットの少なくとも１つのＡＰＮについての情報を除去すること（ブロック９６２）。
【００６５】
本明細書に記述された実施形態の１または複数の態様にしたがって、図１０は、図９Ａ〜Ｂに関して上に記述されたようなデタッチのための装置１０００（例えば、ＰＤＮゲートウェイまたはそのコンポーネント）の設計を示す。例えば、装置１０００は、以下を含みうる：ＵＥと第１のワイヤレスネットワークとの間の第１の接続と関連付けられた第１のＡＰＮについての情報を記憶するためのモジュール１０１２；ＵＥと第２のワイヤレスネットワークとの間の第２の接続と関連付けられた第２のＡＰＮについての情報を記憶するためのモジュール１０１４；第１のワイヤレスネットワークから第２のワイヤレスネットワークへの第１のＡＰＮのハンドオーバを示すインジケーションを受信するためのモジュール１０１６；ＵＥとの第１のワイヤレスネットワークとの間の第１の接続を切断する手順を実行するためのモジュール１０１８、ここにおいて、この手順の結果として、第２のＡＰＮについての情報はＨＳＳによって保持される。簡潔さのために、装置１０００についての詳細の残りがさらに説明されることはないが、装置１０００の残りの特徴および態様が、図６の装置６００に関して上に記述されたものと実質的に同様であることは理解されるべきである。
【００６６】
図１１Ａは、通信をサポートするための方法１１００の設計を示す。方法１１００は、ＨＳＳ（下に記述されるような）、または、他のエンティティによって実行されうる。ＨＳＳは、ＵＥと、例えば、３ＧＰＰネットワークなどの第１のワイヤレスネットワークとの間の第１の接続と関連付けられた第１のＡＰＮについての情報を記憶しうる（ブロック１１１２）。ＨＳＳは、さらに、ＵＥと、例えば、ＷＬＡＮなどの第２のワイヤレスネットワークとの間の第２の接続と関連付けられた第２のＡＰＮについての情報を記憶しうる（ブロック１１１４）。ＨＳＳは、ＵＥと第１のワイヤレスネットワークとの間の第１の接続を切断する手順を実行しうる（ブロック１１１６）。この手順は、ＰＤＮ切断手順、ベアラ非アクティブ化手順、または、他の手順を備えうる。ＨＳＳは、この手順の結果として、第１のＡＰＮについての情報を除去し、第２のＡＰＮについての情報を保持しうる（ブロック１１１８）。
【００６７】
図１１Ｂに関して、オプションであり、デタッチのためにＨＳＳまたは同様のものによって実行されうる方法１１００のさらなる動作また態様が示される。例えば、方法１１００は、第２のワイヤレスネットワークから第１のワイヤレスネットワークへのＵＥのハンドオーバに続き、ＵＥを第１のワイヤレスネットワークにアタッチした後に、第２のＡＰＮについての情報をＭＭＥに提供することを含みうる（ブロック１１３０）。関連態様において、第１のワイヤレスネットワークは、第１のＡＰＮセットと関連付けられ、第２のワイヤレスネットワークは、第２のＡＰＮセットと関連付けられ、方法１１００は、以下を含みうる：除去することが第１のＡＰＮセットの少なくとも１つのＡＰＮについての情報を除去することを備えること（ブロック１１４０）；および／または、保持することが第２のＡＰＮセットについての情報を保持することを備えること（ブロック１１４２）。さらなる関連態様において、方法１１００は、第２のワイヤレスネットワークから第１のワイヤレスネットワークへのＵＥのハンドオーバに続き、ＵＥを第１のワイヤレスネットワークにアタッチした後に、ＵＥによって示された第２のＡＰＮセットのＡＰＮについての情報をＭＭＥに提供することを含みうる（ブロック１１５０）。
【００６８】
本明細書に記述された実施形態の１または複数の態様にしたがって、図１２は、図１１Ａ〜Ｂに関して上に記述されたようなデタッチのための装置１２００（例えば、ＨＳＳまたはそのコンポーネント）の設計を示す。例えば、装置１２００は、以下を含みうる：ＵＥと第１のワイヤレスネットワークとの間の第１の接続と関連付けられた第１のＡＰＮについての情報を記憶するためのモジュール１２１２；ＵＥと第２のワイヤレスネットワークとの間の第２の接続と関連付けられた第２のＡＰＮについての情報を記憶するためのモジュール１２１４；ＵＥと第１のワイヤレスネットワークとの間の第１の接続を切断する手順を実行するためのモジュール１２１６；手順の結果として、第１のＡＰＮについての情報を除去し、第２のＡＰＮについての情報を保持するためのモジュール１２１８。簡潔さのために、装置１２００についての詳細の残りがさらに説明されることはないが、装置１２００の残りの特徴および態様が、図６の装置６００に関して上に記述されたものと実質的に同様であることは理解されるべきである。
【００６９】
図１３は、ＵＥ １１０、ワイヤレスネットワーク１２２、ＭＭＥ １４０、ＰＤＮゲートウェイ１５０、および、ＨＳＳ １６０の設計のブロック図を示す。ワイヤレスネットワーク１２２は、３ＧＰＰネットワーク、ＷＬＡＮ、または、他のワイヤレスネットワークでありうる。簡潔さのために、図１３は、（ｉ）ＵＥ １１０について、１つのコントローラ／プロセッサ１３１０、１つのメモリ１３１２、および、１つの送信機／受信機（ＴＭＴＲ／ＲＣＶＲ）１３１４を示し、（ｉｉ）ワイヤレスネットワーク１２２について、１つのコントローラ／プロセッサ１３２０、１つのメモリ（Ｍｅｍ）１３２２、１つの送信機／受信機１３２４、および、１つの通信（Ｃｏｍｍ）ユニット１３２６を示し、（ｉｉｉ）ＭＭＥ １４０について、１つのコントローラ／プロセッサ１３３０、１つのメモリ１３３２、および、１つの通信ユニット１３３４を示し、（ｉｖ）ＰＤＮゲートウェイ１５０について、１つのコントローラ／プロセッサ１３４０、１つのメモリ１３４２、および、１つの通信ユニット１３４４を示し、（ｖ）ＨＳＳ １６０について、１つのコントローラ／プロセッサ１３５０、１つのメモリ１３５２、および、１つの通信ユニット１３５４を示す。一般的に、各エンティティは、任意の数のコントローラ、プロセッサ、メモリ、トランシーバ、通信ユニットなどを含みうる。
【００７０】
ダウンリンク上で、ワイヤレスネットワーク１２２内の基地局は、トラフィックデータおよびメッセージをそれらのカバレッジエリア内のＵＥに送信しうる。トラフィックデータおよびメッセージは、プロセッサ１３２０によって処理され、送信機１３２４によって調整され、ＵＥに送信されうるダウンリンク信号が生成されうる。ＵＥ １１０において、基地局からのダウンリンク信号が受信され、受信機１３１４によって調整され、プロセッサ１３１０によってさらに処理され、ＵＥ １１０に送られたトラフィックデータおよびメッセージが取得されうる。メモリ１３１２は、ＵＥ １１０のためにプログラムコードおよびデータを記憶しうる。プロセッサ１３１０は、図５のプロセス５００、および／または、本明細書に記述されたテクニックのための他のプロセスを実行または指揮しうる。プロセッサ１３１０は、さらに、図４のメッセージフロー４００においてＵＥ １１０に対する処理を実行しうる。
【００７１】
アップリンク上で、ＵＥ １１０は、ワイヤレスネットワーク１２２においてトラフィックデータおよびメッセージを基地局に送信しうる。トラフィックデータおよびメッセージは、プロセッサ１３１０によって処理され、送信機１３１４によって調整され、基地局に送信されうるアップリンク信号が生成されうる。ワイヤレスネットワーク１２２において、ＵＥ １１０および他のＵＥからのアップリンク信号が受信され、受信機１３２４によって調整され、さらに、プロセッサ１３２０によって処理され、ＵＥによって送られたトラフィックデータおよびメッセージが取得されうる。メモリ１３２２は、ワイヤレスネットワーク１２２のためにプログラムコードおよびデータを記憶し、それは、通信ユニット１３２６を介して他のネットワークエンティティと通信しうる。
【００７２】
ＭＭＥ １４０内で、プロセッサ１３３０は、ＭＭＥ １４０のために処理を実行し、メモリ１３３２は、ＭＭＥ １４０のためにプログラムコードおよびデータを記憶し、通信ユニット１３３４は、ＭＭＥ １４０が他のエンティティと通信することを可能にしうる。プロセッサ１３３０は、図７のプロセス７００、および／または、本明細書に記述されたテクニックについての他のプロセスを実行または指揮しうる。プロセッサ１３３０は、さらに、図４のメッセージフロー４００においてＭＭＥ １４０のために処理を実行しうる。
【００７３】
ＰＤＮゲートウェイ１５０内で、プロセッサ１３４０は、ＰＤＮゲートウェイ１５０のために処理を実行し、メモリ１３４２は、ＰＤＮゲートウェイ１５０のためにプログラムコードおよびデータを記憶し、通信ユニット１３４４は、ＰＤＮゲートウェイ１５０が他のエンティティと通信することを可能にしうる。プロセッサ１３４０は、図９のプロセス９００、および／または、本明細書に記述されたテクニックについての他のプロセスを実行または指揮しうる。プロセッサ１３４０は、さらに、図４のメッセージフロー４００においてＰＤＮ ゲートウェイ１５０に対して処理を実行しうる。
【００７４】
ＨＳＳ １６０内で、プロセッサ１３５０は、ＨＳＳ １６０のために処理を実行し、メモリ１３５２は、ＨＳＳ １６０のためにプログラムコードおよびデータを記憶し、通信ユニット１３５４は、ＨＳＳ １６０が他のエンティティと通信することを可能にしうる。プロセッサ１３５０は、図１１のプロセス１１００、および／または、本明細書に記述されたテクニックについての他のプロセスを実行または指揮しうる。プロセッサ１３５０は、さらに、図４のメッセージフロー４００においてＨＳＳ １６０のために処理を実行しうる。
【００７５】
当業者は、情報と信号とが、多様で異なるテクノロジとテクニックのいずれかを用いて表されることを理解するであろう。例えば、上の記述全体を通して参照されうるデータ、命令、コマンド、情報、信号、ビット、シンボル、および、チップは、電圧、電流、電磁波、磁場または粒子、光電場または光粒子、またはこれらのあらゆる組み合わせによって表されうる。
【００７６】
当業者はさらに、本明細書の開示と関連して記述された様々な実例となる論理ブロック、モジュール、回路、アルゴリズムステップが電子ハードウェア、コンピュータソフトウェアまたは両方の組み合わせとして実施されることを認識するであろう。このハードウェアとソフトウェアの互換性を明確に示すために、様々な実例となるコンポーネント、ブロック、モジュール、回路、ステップが、それらの機能性という観点から一般的に上に記述されている。ハードウェア、または、ソフトウェアとしてそのような機能性が実施されるか否かは、特定のアプリケーションとシステム全体に課された設計制約とに依存する。当業者は特定アプリケーションごとに様々な方法で上に記述された機能性を実施することができるが、このような実施の決定は本開示の範囲からの逸脱の原因になるとして解釈されるべきではない。
【００７７】
本明細書の開示と関連して記述された様々な実例となる論理ブロック、モジュール、回路は、汎用のプロセッサ、デジタル信号プロセッサ（ＤＳＰ）、特定用途向け集積回路（ＡＳＩＣ）、書替え可能ゲートアレイ（ＦＰＧＡ）または他のプログラマブル論理デバイス、ディスクリートゲートまたはトランジスタ論理、ディスクリートハードウェアコンポーネント、あるいは、本明細書に記述された機能を実行するよう設計されたこれらの任意の組み合わせと一緒に実施または実行されうる。汎用プロセッサはマイクロプロセッサでありうるが、代替で、プロセッサは任意の従来のプロセッサ、コントローラ、マイクロコントローラ、またはステートマシンでありうる。プロセッサは、例えば、ＤＳＰとマクロプロセッサ、複数のマイクロプロセッサ、ＤＳＰコアに結合した１または複数のマイクロプロセッサ、または、その他の上記構成の組み合わせといった計算デバイスの組み合わせとしても実施されうる。
【００７８】
本明細書の開示に関して示される方法またはアルゴリズムのステップは、直接的にハードウェアに、プロセッサによって実行されるソフトウェアモジュールに、または、それら二つの組み合わせに組み込まれうる。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、取外し可能ディスク、ＣＤ−ＲＯＭ、または、当技術分野において周知の記憶媒体のあらゆる他の形態に存在しうる。例示的な記憶媒体は、プロセッサが記憶媒体から情報を読み取り、記憶媒体に情報を書き込むことができるように、プロセッサに結合される。代替において、記憶媒体はプロセッサに一体化されうる。プロセッサおよび記憶媒体はＡＳＩＣに存在しうる。ＡＳＩＣはユーザ端末に存在しうる。代替において、プロセッサおよび記憶媒体は、個別コンポーネントとしてユーザ端末に存在しうる。
【００７９】
１または複数の例示的な設計において、記述された機能は、ハードウェア、ソフトウェア、ファームウェア、またはそれらのあらゆる組み合わせに実施されうる。ソフトウェアに実施された場合、この機能は、コンピュータ可読媒体上の１または複数の命令またはコードとして記憶または送信されうる。コンピュータ可読媒体は、コンピュータ記憶媒体と、ある箇所から別の箇所へのコンピュータプログラム移送を容易にする任意の媒体を含む通信媒体との両方を含む。記憶媒体は、汎用コンピュータまたは専用コンピュータによりアクセスされることができる任意の利用可能な媒体でありうる。それに制限されない例として、そのようなコンピュータ可読媒体は、ＲＡＭ、ＲＯＭ、ＥＥＰＲＯＭ、ＣＤ−ＲＯＭまたは他の光学ディスク記憶装置、磁気ディスク記憶装置または他の磁気記憶デバイス、あるいは、汎用コンピュータまたは専用コンピュータ、あるいは、汎用プロセッサまたは専用プロセッサによってアクセスされることができ、命令やデータ構造形で所望のプログラムコード手段を搬送または記憶するために使用されうるあらゆる他の媒体を備えうる。さらに、任意の接続は適切にコンピュータ可読媒体と呼ばれる。例えば、同軸ケーブル、光ファイバーケーブル、撚線対、デジタル加入者回線（ＤＳＬ）、または赤外線、無線、マイクロ波などのワイヤレステクノロジを使用してウェブサイト、サーバ、または他のリモートソースからソフトウェアが送信されると、この同軸ケーブル、光ファイバーケーブル、撚線対、ＤＳＬ、または赤外線、無線、マイクロ派などのワイヤレステクノロジは媒体の定義に含まれる。ディスク（ｄｉｓｋ）とディスク（ｄｉｓｃ）は、本明細書で使用される場合、コンパクトディスク（ＣＤ）、レーザディスク、光ディスク、デジタル多用途ディスク（ＤＶＤ）、フロッピー（登録商標）ディスク、ブルーレイ（登録商標）ディスクを含む。ディスク（ｄｉｓｋ）は通常磁気作用によってデータを再生し、ディスク（ｄｉｓｃ）はレーザーで光学的にデータを再生する。上記の組み合わせもコンピュータ可読媒体の範囲内に含まれるべきである。
【００８０】
当業者が本開示を実施および使用することを可能にするために、本開示の以上の記述が提供される。これらの開示に対する様々な変更は当業者には容易に明らかであり、本明細書において定義された包括的な原理は、本開示の精神または範囲を逸脱することなく他の変形に適用されうる。したがって、本開示は、本明細書に記述された例および設計に制限されることを企図せず、本明細書に開示された原理および新規な特徴と合致する最も広い範囲が与えられるべきである。
以下に本願出願当初の特許請求の範囲を付記する。
[Ｃ１]  ワイヤレス通信のための方法であって、
第１のアクセスポイント名（ＡＰＮ）と関連付けられた第１のワイヤレスネットワークに接続することと、
第２のＡＰＮと関連付けられた第２のワイヤレスネットワークに接続することと、
前記第１のワイヤレスネットワークから前記第２のワイヤレスネットワークへの前記第１のＡＰＮのハンドオーバを実行することと
前記第２のワイヤレスネットワークからの前記第１のＡＰＮのデタッチを実行することと
を備える方法。
[Ｃ２]  前記第１のワイヤレスネットワークは、３ＧＰＰネットワークを備え、前記第２のワイヤレスネットワークはＷＬＡＮを備える、Ｃ１に記載の方法。
[Ｃ３]  前記第１のワイヤレスネットワークからデタッチするインジケーションを受信することをさらに備え、前記第１のワイヤレスネットワークから前記第２のワイヤレスネットワークへの前記第１のＡＰＮの前記ハンドオーバ、および、第２のワイヤレスネットワークからの前記第１のＡＰＮのデタッチは、前記インジケーションに応じて実行される、Ｃ１に記載の方法。
[Ｃ４]  前記第１のワイヤレスネットワークは、少なくとも１つのさらなるＡＰＮと関連付けられ、前記方法は、
前記第１のワイヤレスネットワークから前記第２のワイヤレスネットワークへの前記少なくとも１つのさらなるＡＰＮのハンドオーバを実行することと、
前記第２のワイヤレスネットワークからの前記少なくとも１つのさらなるＡＰＮのうちの１または複数のデタッチを実行することと
をさらに備える、Ｃ１に記載の方法。
[Ｃ５]  前記第１のワイヤレスネットワークは、第１のＡＰＮセットと関連付けられ、
前記ハンドオーバを実行することは、前記第１のワイヤレスネットワークから前記第２のワイヤレスネットワークへの前記第１のＡＰＮセットの前記ハンドオーバを実行することを備え、
前記デタッチを実行することは、前記第２のワイヤレスネットワークからの前記第１のＡＰＮセットのうちの少なくとも１つのＡＰＮの前記デタッチを実行することを備える、Ｃ１に記載の方法。
[Ｃ６]  前記第２のワイヤレスネットワークは、第２のＡＰＮセットと関連付けられる、Ｃ５に記載の方法。
[Ｃ７]  前記第２のＡＰＮについての情報は、前記第１のワイヤレスネットワークから前記第２のワイヤレスネットワークへの前記第１のＡＰＮの前記ハンドオーバの後に、さらに、前記第２のワイヤレスネットワークからの前記第１のＡＰＮのデタッチの後に、ホーム加入者サーバ（ＨＳＳ）によって保持される、Ｃ１に記載の方法。
[Ｃ８]  前記第２のＡＰＮについての情報は、前記第１のワイヤレスネットワークからの前記第１のＡＰＮのデタッチのために、ホーム加入者サーバ（ＨＳＳ）によって破棄される、Ｃ１に記載の方法。
[Ｃ９]  前記第２のワイヤレスネットワークから前記第１のワイヤレスネットワークへのハンドオーバを実行することと、
前記第１のワイヤレスネットワークへのハンドオーバの後に前記第１のワイヤレスネットワークにアタッチすることと
をさらに備え、
前記第２のＡＰＮについての情報は、ホーム加入者サーバ（ＨＳＳ）から検索され、前記第１のワイヤレスネットワークを介した通信をサポートするために使用される、Ｃ１に記載の方法。
[Ｃ１０]  前記第１のワイヤレスネットワークに接続すること、前記第２のワイヤレスネットワークに接続すること、前記ハンドオーバを実行すること、および、前記デタッチを実行することは、ユーザ機器（ＵＥ）によって実行される、Ｃ１に記載の方法。
[Ｃ１１]  ワイヤレス通信のための装置であって、
第１のアクセスポイント名（ＡＰＮ）と関連付けられた第１のワイヤレスネットワークに接続するための手段と、
第２のＡＰＮと関連付けられた第２のワイヤレスネットワークに接続するための手段と、
前記第１のワイヤレスネットワークから前記第２のワイヤレスネットワークへの第１のＡＰＮのハンドオーバを実行するための手段と
前記第２のワイヤレスネットワークからの前記第１のＡＰＮのデタッチを実行するための手段と
を備える装置。
[Ｃ１２]  前記第１のワイヤレスネットワークは、３ＧＰＰネットワークを備え、前記第２のワイヤレスネットワークはＷＬＡＮを備える、Ｃ１１に記載の装置。
[Ｃ１３]  前記第１のワイヤレスネットワークからデタッチするインジケーションを受信するための手段をさらに備え、前記第１のワイヤレスネットワークから前記第２のワイヤレスネットワークへの前記第１のＡＰＮの前記ハンドオーバ、および、第２のワイヤレスネットワークからの前記第１のＡＰＮのデタッチは、前記インジケーションに応じて実行される、Ｃ１１に記載の装置。
[Ｃ１４]  前記第１のワイヤレスネットワークは、少なくとも１つのさらなるＡＰＮと関連付けられ、
前記装置は、
前記第１のワイヤレスネットワークから前記第２のワイヤレスネットワークへの前記少なくとも１つのさらなるＡＰＮの前記ハンドオーバを実行するための手段と、
前記第２のワイヤレスネットワークからの前記少なくとも１つのさらなるＡＰＮのうちの１または複数のデタッチを実行するための手段と
をさらに備える、Ｃ１１に記載の装置。
[Ｃ１５]  前記第１のワイヤレスネットワークは、第１のＡＰＮセットと関連付けられ、
前記装置は、
前記第１のワイヤレスネットワークから前記第２のワイヤレスネットワークへの前記第１のＡＰＮセットの前記ハンドオーバを実行することを含む前記ハンドオーバを実行するための手段と、
前記第２のワイヤレスネットワークからの前記第１のＡＰＮセットのうちの少なくとも１つのＡＰＮのデタッチを実行することを含む前記デタッチを実行するための手段と
をさらに備える、Ｃ１１に記載の装置。
[Ｃ１６]  前記第２のワイヤレスネットワークは、第２のＡＰＮセットと関連付けられる、Ｃ１５に記載の装置。
[Ｃ１７]  前記第２のＡＰＮについての情報は、前記第１のワイヤレスネットワークから前記第２のワイヤレスネットワークへの前記第１のＡＰＮの前記ハンドオーバの後、さらに、前記第２のワイヤレスネットワークからの前記第１のＡＰＮのデタッチの後に、ホーム加入者サーバ（ＨＳＳ）によって保持される、Ｃ１１に記載の装置。
[Ｃ１８]  前記第２のＡＰＮについての情報は、前記第１のワイヤレスネットワークからの前記第１のＡＰＮのデタッチのために、ホーム加入者サーバ（ＨＳＳ）によって破棄される、Ｃ１１に記載の装置。
[Ｃ１９]  前記第２のワイヤレスネットワークから前記第１のワイヤレスネットワークへのハンドオーバを実行するための手段と、
前記第１のワイヤレスネットワークへのハンドオーバの後に前記第１のワイヤレスネットワークにアタッチするための手段と
をさらに備え、
前記第２のＡＰＮについての情報は、ホーム加入者サーバ（ＨＳＳ）から検索され、前記第１のワイヤレスネットワークを介した通信をサポートするために使用される、Ｃ１１に記載の装置。
[Ｃ２０]  前記装置は、ユーザ機器（ＵＥ）を備える、Ｃ１１に記載の装置。
[Ｃ２１]  ワイヤレス通信のための装置であって、
第１のアクセスポイント名（ＡＰＮ）と関連付けられた第１のワイヤレスネットワークに接続し、
第２のＡＰＮと関連付けられた第２のワイヤレスネットワークに接続し、
前記第１のワイヤレスネットワークから前記第２のワイヤレスネットワークへの前記第１のＡＰＮのハンドオーバを実行し、
前記第２のワイヤレスネットワークからの前記第１のＡＰＮのデタッチを実行する
ように構成された少なくとも１つのプロセッサと、
データを記憶するための、前記少なくとも１つのプロセッサに結合されたメモリと
を備える、装置。
[Ｃ２２]  前記第１のワイヤレスネットワークは、３ＧＰＰネットワークを備え、前記第２のワイヤレスネットワークはＷＬＡＮを備える、Ｃ２１に記載の装置。
[Ｃ２３]  前記少なくとも１つのプロセッサは、前記第１のワイヤレスネットワークからデタッチするインジケーションを受信するように構成され、
前記第１のワイヤレスネットワークから前記第２のワイヤレスネットワークへの前記第１のＡＰＮの前記ハンドオーバ、および、前記第２のワイヤレスネットワークからの前記第１のＡＰＮのデタッチは、前記インジケーションに応じて実行される、Ｃ２１に記載の装置。
[Ｃ２４]  前記第１のワイヤレスネットワークは、少なくとも１つのさらなるＡＰＮと関連付けられ、
前記少なくとも１つのプロセッサは、
前記第１のワイヤレスネットワークから前記第２のワイヤレスネットワークへの前記少なくとも１つのさらなるＡＰＮの前記ハンドオーバを実行し
前記第２のワイヤレスネットワークからの前記少なくとも１つのさらなるＡＰＮのうちの１または複数のデタッチを実行する
ように構成される、Ｃ２１に記載の装置。
[Ｃ２５]  前記第１のワイヤレスネットワークは、第１のＡＰＮセットと関連付けられ、
前記少なくとも１つのプロセッサは、
前記第１のワイヤレスネットワークから前記第２のワイヤレスネットワークへの前記第１のＡＰＮセットの前記ハンドオーバを実行することを含む前記ハンドオーバを実行し、
前記第２のワイヤレスネットワークからの前記第１のＡＰＮセットのうちの少なくとも１つのＡＰＮのデタッチを実行することを含む前記デタッチを実行する、
ように構成される、Ｃ２１に記載の装置。
[Ｃ２６]  前記第２のワイヤレスネットワークは、第２のＡＰＮセットと関連付けられる、Ｃ２５に記載の装置。
[Ｃ２７]  前記第２のＡＰＮについての情報は、前記第１のワイヤレスネットワークから前記第２のワイヤレスネットワークへの前記第１のＡＰＮの前記ハンドオーバの後、さらに、前記第２のワイヤレスネットワークからの前記第１のＡＰＮのデタッチの後に、ホーム加入者サーバ（ＨＳＳ）によって保持される、Ｃ２１に記載の装置。
[Ｃ２８]  前記第２のＡＰＮについての情報は、前記第１のワイヤレスネットワークからの前記第１のＡＰＮのデタッチのために、ホーム加入者サーバ（ＨＳＳ）によって破棄される、Ｃ２１に記載の装置。
[Ｃ２９]  前記少なくとも１つのプロセッサは、
前記第２のワイヤレスネットワークから前記第１のワイヤレスネットワークにハンドオーバを実行し、
前記第１のワイヤレスネットワークへのハンドオーバの後に前記第１のワイヤレスネットワークにアタッチする
ように構成され、
前記第２のＡＰＮについての情報は、ホーム加入者サーバ（ＨＳＳ）から検索され、前記第１のワイヤレスネットワークを介した通信をサポートするために使用される、Ｃ２１に記載の装置。
[Ｃ３０]  前記装置は、ユーザ機器（ＵＥ）を備える、Ｃ２１に記載の装置。
[Ｃ３１]  コンピュータ可読媒体を備えるコンピュータプログラムプロダクトであって、前記コンピュータ可読媒体は、
少なくとも１つのコンピュータに、第１のアクセスポイント名（ＡＰＮ）と関連付けられた第１のワイヤレスネットワークに接続させるためのコードと、
前記少なくとも１つのコンピュータに、第２のＡＰＮと関連付けられた第２のワイヤレスネットワークに接続させるためのコードと、
前記少なくとも１つのコンピュータに、前記第１のワイヤレスネットワークから前記第２のワイヤレスネットワークへの前記第１のＡＰＮのハンドオーバを実行させるためのコードと、
前記少なくとも１つのコンピュータに、前記第２のワイヤレスネットワークからの前記第１のＡＰＮのデタッチを実行させるためのコードと
を備える、コンピュータプログラムプロダクト。
[Ｃ３２]  前記第１のワイヤレスネットワークは、３ＧＰＰネットワークを備え、前記第２のワイヤレスネットワークはＷＬＡＮを備える、Ｃ３１に記載のコンピュータプログラムプロダクト。
[Ｃ３３]  前記コンピュータ可読媒体は、前記少なくとも１つのコンピュータに、前記第１のワイヤレスネットワークからデタッチするインジケーションを受信させるコードを備え、
前記第１のワイヤレスネットワークから前記第２のワイヤレスネットワークへの前記第１のＡＰＮの前記ハンドオーバ、および、前記第２のワイヤレスネットワークからの前記第１のＡＰＮのデタッチは、前記インジケーションに応じて実行される、Ｃ３１に記載のコンピュータプログラムプロダクト。
[Ｃ３４]  前記第１のワイヤレスネットワークは、少なくとも１つのさらなるＡＰＮと関連付けられ、
前記コンピュータ可読媒体は、前記少なくとも１つのコンピュータに、
前記第１のワイヤレスネットワークから前記第２のワイヤレスネットワークへの前記少なくとも１つのさらなるＡＰＮの前記ハンドオーバを実行させ
前記第２のワイヤレスネットワークからの前記少なくとも１つのさらなるＡＰＮのうちの１または複数の前記デタッチを実行させる
ためのコードを備える、Ｃ３１に記載のコンピュータプログラムプロダクト。
[Ｃ３５]  前記第１のワイヤレスネットワークは、第１のＡＰＮセットと関連付けられ、
前記コンピュータ可読媒体は、前記少なくとも１つのコンピュータに、
前記第１のワイヤレスネットワークから前記第２のワイヤレスネットワークへの前記第１のＡＰＮセットの前記ハンドオーバを実行することを含む前記ハンドオーバを実行させ、
前記第２のワイヤレスネットワークからの前記第１のＡＰＮセットのうちの少なくとも１つのＡＰＮの前記デタッチを実行することを含む前記デタッチを実行させる
ためのコードを備える、Ｃ３１に記載のコンピュータプログラムプロダクト。
[Ｃ３６]  前記第２のワイヤレスネットワークは、第２のＡＰＮセットと関連付けられる、Ｃ３５に記載のコンピュータプログラムプロダクト。
[Ｃ３７]  前記第２のＡＰＮについての情報は、前記第１のワイヤレスネットワークから前記第２のワイヤレスネットワークへの前記第１のＡＰＮの前記ハンドオーバの後、さらに、前記第２のワイヤレスネットワークからの前記第１のＡＰＮのデタッチの後に、ホーム加入者サーバ（ＨＳＳ）によって保持される、Ｃ３１に記載のコンピュータプログラムプロダクト。
[Ｃ３８]  前記第２のＡＰＮについての情報は、前記第１のワイヤレスネットワークからの前記第１のＡＰＮのデタッチのために、ホーム加入者サーバ（ＨＳＳ）によって破棄される、Ｃ３１に記載のコンピュータプログラムプロダクト。
[Ｃ３９]  前記コンピュータ可読媒体は、前記少なくとも１つのコンピュータに、
前記第２のワイヤレスネットワークから前記第１のワイヤレスネットワークへのハンドオーバを実行させ、
前記第１のワイヤレスネットワークへのハンドオーバの後に前記第１のワイヤレスネットワークにアタッチさせる
ためのコードを備え、
前記第２のＡＰＮについての情報は、ホーム加入者サーバ（ＨＳＳ）から検索され、前記第１のワイヤレスネットワークを介した通信をサポートするために使用される、Ｃ３１に記載のコンピュータプログラムプロダクト。
[Ｃ４０]  前記少なくとも１つのコンピュータは、少なくとも１つのユーザ機器（ＵＥ）を備える、Ｃ３１に記載のコンピュータプログラムプロダクト。
[Ｃ４１]  ワイヤレス通信のための方法であって、
ユーザ機器（ＵＥ）と第１のワイヤレスネットワークとの間の第１の接続と関連付けられた第１のアクセスポイント名（ＡＰＮ）ついての情報を記憶することと、なお、前記ＵＥは、第２のＡＰＮと関連付けられた第２のワイヤレスネットワークに対して第２の接続を有する、
前記ＵＥが前記第１のワイヤレスネットワークから前記第２のワイヤレスネットワークへの前記第１のＡＰＮのハンドオーバを実行することに応じて前記第１のＡＰＮについての情報を除去することと、なお、前記ＵＥは、さらに、前記第２のワイヤレスネットワークからの前記第１のＡＰＮのデタッチを実行する、
を備える方法。
[Ｃ４２]  前記第２のワイヤレスネットワークから前記第１のワイヤレスネットワークへのハンドオーバのために前記ＵＥのアタッチを実行することと、
前記ＵＥのアタッチのために、ホーム加入者サーバ（ＨＳＳ）から前記第２のＡＰＮについての情報を検索することと
をさらに備える、Ｃ４１に記載の方法。
[Ｃ４３]  前記第１のＡＰＮについての情報を記憶すること、並びに、前記第１のＡＰＮについての情報を除去することは、モビリティ管理エンティティ（ＭＭＥ）によって実行される、Ｃ４１に記載の方法。
[Ｃ４４]  前記第１のワイヤレスネットワークは、第１のＡＰＮセットと関連付けられ、
除去することは、前記ＵＥが前記第１のワイヤレスネットワークから前記第２のワイヤレスネットワークへの前記第１のＡＰＮセットのハンドオーバを実行することに応じて前記第１のＡＰＮセットのうちの少なくとも１つのＡＰＮについての情報を除去することを備え、
前記ＵＥは、さらに、前記第２のワイヤレスネットワークからの前記第１のＡＰＮセットのうちの少なくとも１つのＡＰＮのデタッチを実行する、Ｃ４１に記載の方法。
[Ｃ４５]  前記第２のワイヤレスネットワークは、第２のＡＰＮセットと関連付けられる、Ｃ４４に記載の方法。
[Ｃ４６]  ワイヤレス通信のための装置であって、
ユーザ機器（ＵＥ）と第１のワイヤレスネットワークとの間の第１の接続と関連付けられた第１のアクセスポイント名（ＡＰＮ）ついての情報を記憶するための手段と、なお、前記ＵＥは、第２のＡＰＮと関連付けられた第２のワイヤレスネットワークのために第２の接続を有する、
前記ＵＥが前記第１のワイヤレスネットワークから前記第２のワイヤレスネットワークへの前記第１のＡＰＮのハンドオーバを実行することに応じて前記第１のＡＰＮについての情報を除去するための手段と、なお、前記ＵＥは、さらに、前記第２のワイヤレスネットワークからの前記第１のＡＰＮのデタッチを実行する、
を備える装置。
[Ｃ４７]  前記第２のワイヤレスネットワークから前記第１のワイヤレスネットワークへのハンドオーバのために前記ＵＥのアタッチを実行するための手段と、
前記ＵＥのアタッチのために、ホーム加入者サーバ（ＨＳＳ）から前記第２のＡＰＮについての情報を検索するための手段と
をさらに備える、Ｃ４６に記載の装置。
[Ｃ４８]  前記第１のＡＰＮについての情報を記憶すること、並びに、前記第１のＡＰＮについての情報を除去することは、モビリティ管理エンティティ（ＭＭＥ）によって実行される、Ｃ４６に記載の装置。
[Ｃ４９]  前記第１のワイヤレスネットワークは、第１のＡＰＮセットと関連付けられ、
前記装置は、前記ＵＥが前記第１のワイヤレスネットワークから前記第２のワイヤレスネットワークへの前記第１のＡＰＮセットのハンドオーバを実行することに応じて前記第１のＡＰＮセットのうちの少なくとも１つのＡＰＮについての情報を除去するための手段をさらに備え、
前記ＵＥは、さらに、前記第２のワイヤレスネットワークからの前記第１のＡＰＮセットのうちの少なくとも１つのＡＰＮのデタッチを実行する、Ｃ４６に記載の装置。
[Ｃ５０]  前記第２のワイヤレスネットワークは、第２のＡＰＮセットと関連付けられる、Ｃ４９に記載の装置。
[Ｃ５１]  ワイヤレス通信のための装置であって、
ユーザ機器（ＵＥ）と第１のワイヤレスネットワークとの間の第１の接続と関連付けられた第１のアクセスポイント名（ＡＰＮ）についての情報を記憶し、なお、前記ＵＥは、第２のＡＰＮと関連付けられた第２のワイヤレスネットワークに対して第２の接続を有する、
前記ＵＥが前記第１のワイヤレスネットワークから前記第２のワイヤレスネットワークへの前記第１のＡＰＮのハンドオーバを実行することに応じて、前記第１のＡＰＮについての情報を除去する、なお、前記ＵＥは、さらに、前記第２のワイヤレスネットワークから前記第１のＡＰＮのデタッチを実行する、
ように構成された少なくとも１つのプロセッサと、
データを記憶するための、前記少なくとも１つのプロセッサに結合されたメモリと
を備える、装置。
[Ｃ５２]  前記少なくとも１つのプロセッサは、
前記第２のワイヤレスネットワークから前記第１のワイヤレスネットワークへのハンドオーバのために前記ＵＥのアタッチを実行し、
前記ＵＥの前記アタッチのために、ホーム加入者サーバ（ＨＳＳ）から前記第２のＡＰＮについての情報を検索する
ように構成される、Ｃ５１に記載の装置。
[Ｃ５３]  前記第１のＡＰＮについての情報を記憶すること、並びに、前記第１のＡＰＮについての情報を除去することは、モビリティ管理エンティティ（ＭＭＥ）によって実行される、Ｃ５１に記載の装置。
[Ｃ５４]  前記第１のワイヤレスネットワークは、第１のＡＰＮセットと関連付けられ、
前記少なくとも１つのプロセッサは、前記ＵＥが前記第１のワイヤレスネットワークから前記第２のワイヤレスネットワークへの前記第１のＡＰＮセットのハンドオーバを実行することに応じて、前記第１のＡＰＮセットのうちの少なくとも１つのＡＰＮについての情報を除去するように構成され、
前記ＵＥは、さらに、前記第２のワイヤレスネットワークからの前記第１のＡＰＮセットのうちの前記少なくとも１つのＡＰＮのデタッチを実行する、Ｃ５１に記載の装置。
[Ｃ５５]  前記第２のワイヤレスネットワークは、第２のＡＰＮセットと関連付けられる、Ｃ５４に記載の装置。
[Ｃ５６]  コンピュータ可読媒体を備えるコンピュータプログラムプロダクトであって、前記コンピュータ可読媒体は、
少なくとも１つのコンピュータに、ユーザ機器（ＵＥ）と第１のワイヤレスネットワークとの間の第１の接続と関連付けられた第１のアクセスポイント名（ＡＰＮ）ついての情報を記憶させるためのコードと、なお、前記ＵＥは、第２のＡＰＮと関連付けられた第２のワイヤレスネットワークのために第２の接続を有する、
前記ＵＥが前記第１のワイヤレスネットワークから前記第２のワイヤレスネットワークへの前記第１のＡＰＮのハンドオーバを実行することに応じて、前記少なくとも１つのコンピュータに、前記第１のＡＰＮについての情報を除去させるためのコードと、なお、前記ＵＥは、さらに、前記第２のワイヤレスネットワークからの前記第１のＡＰＮのデタッチを実行する、
を備えるコンピュータプログラムプロダクト。
[Ｃ５７]  前記コンピュータ可読媒体は、前記少なくとも１つのコンピュータに、
前記第２のワイヤレスネットワークから前記第１のワイヤレスネットワークへのハンドオーバのために前記ＵＥのアタッチを実行させ、
前記ＵＥのアタッチのために、ホーム加入者サーバ（ＨＳＳ）から前記第２のＡＰＮについての情報を検索させる
ためのコードを備える、Ｃ５６に記載のコンピュータプログラムプロダクト。
[Ｃ５８]  前記第１のＡＰＮについての情報を記憶すること、並びに、前記第１のＡＰＮについての情報を除去することは、モビリティ管理エンティティ（ＭＭＥ）によって実行される、Ｃ５６に記載のコンピュータプログラムプロダクト。
[Ｃ５９]  前記第１のワイヤレスネットワークは、第１のＡＰＮセットと関連付けられ、
前記コンピュータ可読媒体は、前記ＵＥが前記第１のワイヤレスネットワークから前記第２のワイヤレスネットワークへの前記第１のＡＰＮセットのハンドオーバを実行することに応じて、前記少なくとも１つのコンピュータに、前記第１のＡＰＮセットの少なくとも１つのＡＰＮについての情報を除去させるためのコードを備え、
前記ＵＥは、さらに、前記第２のワイヤレスネットワークからの前記第１のＡＰＮセットのうちの前記少なくとも１つのＡＰＮのデタッチを実行する、Ｃ５６に記載のコンピュータプログラムプロダクト。
[Ｃ６０]  前記第２のワイヤレスネットワークは、第２のＡＰＮセットと関連付けられる、Ｃ５９に記載のコンピュータプログラムプロダクト。
[Ｃ６１]  ワイヤレス通信のための方法であって、
ユーザ機器（ＵＥ）と第１のワイヤレスネットワークとの間の第１の接続と関連付けられた第１のアクセスポイント名（ＡＰＮ）についての情報を記憶することと、
前記ＵＥと第２のワイヤレスネットワークとの間の第２の接続と関連付けられた第２のＡＰＮについての情報を記憶することと、
前記第１のワイヤレスネットワークから前記第２のワイヤレスネットワークへの前記第１のＡＰＮのハンドオーバを示すインジケーションを受信することと、
前記ＵＥと前記第１のワイヤレスネットワークとの間の前記第１の接続を切断する手順を実行することと
を備え、
前記手順の結果として、前記第２のＡＰＮについての情報が、ホーム加入者サーバ（ＨＳＳ）によって保持される、方法。
[Ｃ６２]  前記第１の接続を切断する手順は、パケットデータネットワーク（ＰＤＮ）切断手順またはベアラ非アクティブ化手順を備える、Ｃ６１に記載の方法。
[Ｃ６３]  前記第１のＡＰＮについての情報に基づいて前記第１のＡＰＮについてのトラフィックデータを転送することと、
前記第２のＡＰＮについての情報に基づいて前記第２のＡＰＮについてのトラフィックデータを転送することと
をさらに備える、Ｃ６１に記載の方法。
[Ｃ６４]  前記第２のワイヤレスネットワークから前記第１のＡＰＮのデタッチを実行することと
前記第２のワイヤレスネットワークからの前記第１のＡＰＮのデタッチの結果として、前記第１のＡＰＮについての情報を除去することと
をさらに備える、Ｃ６１に記載の方法。
[Ｃ６５]  前記第１のＡＰＮについての情報を記憶すること、前記第２のＡＰＮにつての情報を記憶すること、前記ハンドオーバを示すインジケーションを受信すること、前記手順を実行することは、パケットデータネットワーク（ＰＤＮ）ゲートウェイによって実行される、Ｃ６１に記載の方法。
[Ｃ６６]  前記第１のワイヤレスネットワークは、第１のＡＰＮセットと関連付けられ、
受信することは、前記第１のワイヤレスネットワークから前記第２のワイヤレスネットワークへの前記第１のＡＰＮセットの前記ハンドオーバを示すインジケーションを受信することを備える、Ｃ６１に記載の方法。
[Ｃ６７]  前記第２のワイヤレスネットワークは、第２のＡＰＮセットと関連付けられ、
前記第２のＡＰＮセットについての情報は、前記ＨＳＳによって保持される、Ｃ６６に記載の方法。
[Ｃ６８]  前記第２のワイヤレスネットワークからの前記第１のＡＰＮセットのうちの少なくとも１つのＡＰＮのデタッチを実行することと、
前記第２のワイヤレスネットワークからの前記第１のＡＰＮセットのデタッチの結果として、前記第１のＡＰＮセットの前記少なくとも１つのＡＰＮについての情報を除去することと
をさらに備える、Ｃ６７に記載の方法。
[Ｃ６９]  ワイヤレス通信のための装置であって、
ユーザ機器（ＵＥ）と第１のワイヤレスネットワークとの間の第１の接続と関連付けられた第１のアクセスポイント名（ＡＰＮ）についての情報を記憶するための手段と、
前記ＵＥと第２のワイヤレスネットワークとの間の第２の接続と関連付けられた第２のＡＰＮについての情報を記憶するための手段と、
前記第１のワイヤレスネットワークから前記第２のワイヤレスネットワークへの前記第１のＡＰＮのハンドオーバを示すインジケーションを受信するための手段と、
前記ＵＥと前記第１のワイヤレスネットワークとの間の前記第１の接続を切断する手順を実行するための手段と
を備え、
前記手順の結果として、前記第２のＡＰＮについての情報が、ホーム加入者サーバ（ＨＳＳ）によって保持される、装置。
[Ｃ７０]  前記第１の接続を切断する手順は、パケットデータネットワーク（ＰＤＮ）切断手順またはベアラ非アクティブ化手順を備える、Ｃ６９に記載の装置。
[Ｃ７１]  前記第１のＡＰＮについての情報に基づいて前記第１のＡＰＮについてのトラフィックデータを転送するための手段と、
前記第２のＡＰＮについての情報に基づいて前記第２のＡＰＮについてのトラフィックデータを転送するための手段と
をさらに備える、Ｃ６９に記載の装置。
[Ｃ７２]  前記第２のワイヤレスネットワークからの前記第１のＡＰＮのデタッチを実行するための手段と、
前記第２のワイヤレスネットワークからの前記第１のＡＰＮのデタッチの結果として、前記第１のＡＰＮについての情報を除去するための手段と
をさらに備える、Ｃ６９に記載の装置。
[Ｃ７３]  前記装置は、パケットデータネットワーク（ＰＤＮ）ゲートウェイを備える、Ｃ６９に記載の装置。
[Ｃ７４]  前記第１のワイヤレスネットワークは、第１のＡＰＮセットと関連付けられ、
前記装置は、前記第１のワイヤレスネットワークから前記第２のワイヤレスネットワークへの前記第１のＡＰＮセットの前記ハンドオーバを示すインジケーションを受信することを含む受信するための手段をさらに備える、Ｃ６９に記載の装置。
[Ｃ７５]  前記第２のワイヤレスネットワークは、第２のＡＰＮセットと関連付けられ、
前記第２のＡＰＮセットについての情報は、前記ＨＳＳによって保持される、Ｃ７４に記載の装置。
[Ｃ７６]  前記第２のワイヤレスネットワークからの前記第１のＡＰＮセットのうちの少なくとも１つのＡＰＮのデタッチを実行するための手段と、
前記第２のワイヤレスネットワークからの前記第１のＡＰＮセットのデタッチの結果として、前記第１のＡＰＮセットの前記少なくとも１つのＡＰＮについての情報を除去するための手段と
をさらに備える、Ｃ７５に記載の装置。
[Ｃ７７]  ワイヤレス通信のための装置であって、
ユーザ機器（ＵＥ）と第１のワイヤレスネットワークとの間の第１の接続と関連付けられた第１のアクセスポイント名（ＡＰＮ）についての情報を記憶し、
前記ＵＥと第２のワイヤレスネットワークとの間の第２の接続と関連付けられた第２のＡＰＮについての情報を記憶し、
前記第１のワイヤレスネットワークから前記第２のワイヤレスネットワークへの前記第１のＡＰＮのハンドオーバを示すインジケーションを受信し、
前記ＵＥおよび前記第１のワイヤレスネットワークの間の前記第１の接続を切断する手順を実行する、ここにおいて、前記手順の結果として、前記第２のＡＰＮについての情報はホーム加入者サーバ（ＨＳＳ）によって保持される、
ように構成された少なくとも１つのプロセッサと、
データを記憶するための、前記少なくとも１つのプロセッサに結合されたメモリとを備える、装置。
[Ｃ７８]  前記第１の接続を切断する手順は、パケットデータネットワーク（ＰＤＮ）切断手順またはベアラ非アクティブ化手順を備える、Ｃ７７に記載の装置。
[Ｃ７９]  前記少なくとも１つのプロセッサは、
前記第１のＡＰＮについての情報に基づいて前記第１のＡＰＮについてのトラフィックデータを転送し、
前記第２のＡＰＮについての情報に基づいて前記第２のＡＰＮについてのトラフィックデータを転送する
ように構成される、Ｃ７７に記載の装置。
[Ｃ８０]  前記少なくとも１つのプロセッサは、
前記第２のワイヤレスネットワークから前記第１のＡＰＮのデタッチを実行し、
前記第２のワイヤレスネットワークからの前記第１のＡＰＮのデタッチの結果として、前記第１のＡＰＮについての情報を除去する
ように構成される、Ｃ７７に記載の装置。
[Ｃ８１]  前記装置は、パケットデータネットワーク（ＰＤＮ）ゲートウェイを備える、Ｃ７７に記載の装置。
[Ｃ８２]  前記第１のワイヤレスネットワークは、第１のＡＰＮセットと関連付けられ、
前記少なくとも１つのプロセッサは、前記第１のワイヤレスネットワークから前記第２のワイヤレスネットワークへの前記第１のＡＰＮセットの前記ハンドオーバを示す前記インジケーションを受信するように構成される、Ｃ７７に記載の装置。
[Ｃ８３]  前記第２のワイヤレスネットワークは、第２のＡＰＮセットと関連付けられ、
前記第２のＡＰＮセットについての情報は、前記ＨＳＳによって保持される、
Ｃ８２に記載の装置。
[Ｃ８４]  前記少なくとも１つのプロセッサは、
前記第２のワイヤレスネットワークからの前記第１のＡＰＮセットのうちの少なくとも１つのＡＰＮのデタッチを実行し、
前記第２のワイヤレスネットワークからの前記第１のＡＰＮセットの前記デタッチの結果として、前記第１のＡＰＮセットのうちの前記少なくとも１つのＡＰＮについての情報を除去する
ように構成される、Ｃ８３に記載の装置。
[Ｃ８５]  コンピュータ可読媒体を備えるコンピュータプログラムプロダクトであって、前記コンピュータ可読媒体は、
少なくとも１つのコンピュータに、ユーザ機器（ＵＥ）と第１のワイヤレスネットワークとの間の第１の接続と関連付けられた第１のアクセスポイント名（ＡＰＮ）についての情報を記憶させるためのコードと、
前記少なくとも１つのコンピュータに、前記ＵＥと前記第２のワイヤレスネットワークとの間の第２の接続と関連付けられた第２のＡＰＮについての情報を記憶させるためのコードと、
前記少なくとも１つのコンピュータに、前記第１のワイヤレスネットワークから前記第２のワイヤレスネットワークへの前記第１のＡＰＮのハンドオーバを示すインジケーションを受信させるためのコードと、
前記少なくとも１つのコンピュータに、前記ＵＥと前記第１のワイヤレスネットワークとの間の前記第１の接続を切断する手順を実行させるためのコードと
を備え、
前記手順の結果として、前記第２のＡＰＮについての情報はホーム加入者サーバ（ＨＳＳ）によって保持される、コンピュータプログラムプロダクト。
[Ｃ８６]  前記第１の接続を切断する手順は、パケットデータネットワーク（ＰＤＮ）切断手順またはベアラ非アクティブ化手順を備える、Ｃ８５に記載のコンピュータプログラムプロダクト。
[Ｃ８７]  前記コンピュータ可読媒体は、前記少なくとも１つのコンピュータに、
前記第１のＡＰＮについての情報に基づいて前記第１のＡＰＮについてのトラフィックデータを転送させ、前記第２のＡＰＮについての情報に基づいて前記第２のＡＰＮについてのトラフィックデータを転送させる
ためのコードを備える、Ｃ８５に記載のコンピュータプログラムプロダクト。
[Ｃ８８]  前記コンピュータ可読媒体は、前記少なくとも１つのコンピュータに、
前記第２のワイヤレスネットワークから前記第１のＡＰＮのデタッチを実行させ、
前記第２のワイヤレスネットワークからの前記第１のＡＰＮのデタッチの結果として、前記第１のＡＰＮについての情報を除去させる
ためのコードを備える、Ｃ８５に記載のコンピュータプログラムプロダクト。
[Ｃ８９]  前記少なくとも１つのコンピュータは、パケットデータネットワーク（ＰＤＮ）ゲートウェイを備える、Ｃ８５に記載のコンピュータプログラムプロダクト。
[Ｃ９０]  前記第１のワイヤレスネットワークは、第１のＡＰＮセットと関連付けられ、
前記コンピュータ可読媒体は、前記少なくとも１つのコンピュータに、前記第１のワイヤレスネットワークから前記第２のワイヤレスネットワークへの前記第１のＡＰＮセットの前記ハンドオーバを示すインジケーションを受信させるためのコードを備える、Ｃ８５に記載のコンピュータプログラムプロダクト。
[Ｃ９１]  前記第２のワイヤレスネットワークは、第２のＡＰＮセットと関連付けられ、
前記第２のＡＰＮセットについての情報は、前記ＨＳＳによって保持される、
Ｃ９０に記載のコンピュータプログラムプロダクト。
[Ｃ９２]  前記コンピュータ可読媒体は、前記少なくとも１つのコンピュータに、
前記第２のワイヤレスネットワークからの前記第１のＡＰＮセットのうちの少なくとも１つのＡＰＮのデタッチを実行させ、
前記第２のワイヤレスネットワークからの前記第１のＡＰＮセットのデタッチの結果として、前記第１のＡＰＮセットの前記少なくとも１つのＡＰＮについての情報を除去させる
ためのコードを備える、Ｃ９１に記載のコンピュータプログラムプロダクト。
[Ｃ９３]  ワイヤレス通信のための方法であって、
ユーザ機器（ＵＥ）と第１のワイヤレスネットワークとの間の第１の接続と関連付けられた第１のアクセスポイント名（ＡＰＮ）についての情報を記憶することと、
前記ＵＥと第２のワイヤレスネットワークとの間の第２の接続と関連付けられた第２のＡＰＮについての情報を記憶することと、
前記ＵＥと前記第１のワイヤレスネットワークとの間の前記第１の接続を切断する手順を実行することと、
前記手順の結果として、前記第１のＡＰＮについての情報を除去し、前記第２のＡＰＮについての情報を保持することと、
を備える。方法。
[Ｃ９４]  前記第１の接続を切断する手順は、パケットデータネットワーク（ＰＤＮ）切断手順またはベアラ非アクティブ化手順を備える、Ｃ９３に記載の方法。
[Ｃ９５]  前記第２のワイヤレスネットワークから前記第１のワイヤレスネットワークへの前記ＵＥのハンドオーバに続き前記ＵＥを前記第１のワイヤレスネットワークにアタッチした後に、前記第２のＡＰＮについての情報をモビリティ管理エンティティ（ＭＭＥ）に提供することをさらに備える、Ｃ９３に記載の方法。
[Ｃ９６]  前記第１のＡＰＮについての情報を記憶すること、前記第２のＡＰＮにつての情報を記憶すること、前記手順を実行すること、前記第１のＡＰＮについての情報を除去することは、ホーム加入者サーバ（ＨＳＳ）によって実行される、Ｃ９３に記載の方法。
[Ｃ９７]  前記第１のワイヤレスネットワークは、第１のＡＰＮセットと関連付けられ、
前記第２のワイヤレスネットワークは、第２のＡＰＮセットと関連付けられ、
除去することは、前記第１のＡＰＮセットのうちの少なくとも１つのＡＰＮについての情報を除去することを備え、
保持することは、前記第２のＡＰＮセットについての情報を保持することを備える、Ｃ９３に記載の方法。
[Ｃ９８]  前記第２のワイヤレスネットワークから前記第１のワイヤレスネットワークへの前記ＵＥのハンドオーバに続き前記ＵＥを前記第１のワイヤレスネットワークにアタッチした後に、前記ＵＥによって示された前記第２のＡＰＮセットのＡＰＮについての情報をモビリティ管理エンティティ（ＭＭＥ）に提供することをさらに備える、Ｃ９７に記載の方法。
[Ｃ９９]  ワイヤレス通信のための装置であって、
ユーザ機器（ＵＥ）と第１のワイヤレスネットワークとの間の第１の接続と関連付けられた第１のアクセスポイント名（ＡＰＮ）についての情報を記憶するための手段と、
前記ＵＥと第２のワイヤレスネットワークとの間の第２の接続と関連付けられた第２のＡＰＮについての情報を記憶するための手段と、
前記ＵＥと前記第１のワイヤレスネットワークとの間の前記第１の接続を切断する手順を実行するための手段と、
前記手順の結果として、前記第１のＡＰＮについての情報を除去し、前記第２のＡＰＮについての情報を保持するための手段と
を備える。装置。
[Ｃ１００]  前記第１の接続を切断する手順は、パケットデータネットワーク（ＰＤＮ）切断手順またはベアラ非アクティブ化手順を備える、Ｃ９９に記載の装置。
[Ｃ１０１]  前記第２のワイヤレスネットワークから前記第１のワイヤレスネットワークへの前記ＵＥのハンドオーバに続き前記ＵＥを前記第１のワイヤレスネットワークにアタッチした後に、前記第２のＡＰＮについての情報をモビリティ管理エンティティ（ＭＭＥ）に提供するための手段をさらに備える、Ｃ９９に記載の装置。
[Ｃ１０２]  前記装置は、ホーム加入者サーバ（ＨＳＳ）を備える、Ｃ９９に記載の装置。
[Ｃ１０３]  前記第１のワイヤレスネットワークは、第１のＡＰＮセットと関連付けられ、
前記第２のワイヤレスネットワークは、第２のＡＰＮセットと関連付けられ、
前記装置は、
前記第１のＡＰＮセットのうちの少なくとも１つのＡＰＮについての情報を除去するための手段と、
前記第２のＡＰＮセットについての情報を保持するための手段と
をさらに備える、Ｃ９９に記載の装置。
[Ｃ１０４]  前記第２のワイヤレスネットワークから前記第１のワイヤレスネットワークへの前記ＵＥのハンドオーバに続き前記ＵＥを前記第１のワイヤレスネットワークにアタッチした後に、前記ＵＥによって示された前記第２のＡＰＮセットのＡＰＮについての情報をモビリティ管理エンティティ（ＭＭＥ）に提供するための手段をさらに備える、Ｃ１０３に記載の装置。
[Ｃ１０５]
ワイヤレス通信のための装置であって、
ユーザ機器（ＵＥ）と第１のワイヤレスネットワークとの間の第１の接続と関連付けられた第１のアクセスポイント名（ＡＰＮ）についての情報を記憶し、
前記ＵＥと第２のワイヤレスネットワークとの間の第２の接続と関連付けられた第２のＡＰＮについての情報を記憶し、
前記ＵＥと前記第１のワイヤレスネットワークとの間の前記第１の接続を切断する手順を実行し、
前記手順の結果として、前記第１のＡＰＮについての情報を除去し、前記第２のＡＰＮについての情報を保持する
ように構成された少なくとも１つのプロセッサと、
データを記憶するための、前記少なくとも１つのプロセッサに結合されたメモリとを備える、装置。
[Ｃ１０６]  前記第１の接続を切断する手順は、パケットデータネットワーク（ＰＤＮ）切断手順またはベアラ非アクティブ化手順を備える、Ｃ１０５に記載の装置。
[Ｃ１０７]  前記少なくとも１つのプロセッサは、前記第２のワイヤレスネットワークから前記第１のワイヤレスネットワークへの前記ＵＥのハンドオーバに続き前記ＵＥを前記第１のワイヤレスネットワークにアタッチした後に、前記第２のＡＰＮについての情報をモビリティ管理エンティティ（ＭＭＥ）に提供するように構成される、Ｃ１０５に記載の装置。
[Ｃ１０８]  前記装置は、ホーム加入者サーバ（ＨＳＳ）を備える、Ｃ１０５に記載の装置。
[Ｃ１０９]  前記第１のワイヤレスネットワークは、第１のＡＰＮセットと関連付けられ、
前記第２のワイヤレスネットワークは、第２のＡＰＮセットと関連付けられ、
前記少なくとも１つのプロセッサは、
前記第１のＡＰＮセットのうちの少なくとも１つのＡＰＮについての情報を除去し、
前記第２のＡＰＮセットについての情報を保持する
ように構成される、Ｃ１０５に記載の装置。
[Ｃ１１０]  前記少なくとも１つのプロセッサは、前記第２のワイヤレスネットワークから前記第１のワイヤレスネットワークへの前記ＵＥのハンドオーバに続き前記ＵＥを前記第１のワイヤレスネットワークにアタッチした後に、前記ＵＥによって示された前記第２のＡＰＮセットのうちのＡＰＮについての情報をモビリティ管理エンティティ（ＭＭＥ）に提供するように構成される、Ｃ１０９に記載の装置。
[Ｃ１１１]  コンピュータ可読媒体を備えるコンピュータプログラムプロダクトであって、前記コンピュータ可読媒体は、
少なくとも１つのコンピュータに、ユーザ機器（ＵＥ）と第１のワイヤレスネットワークとの間の第１の接続と関連付けられた第１のアクセスポイント名（ＡＰＮ）についての情報を記憶させるためのコードと、
前記少なくとも１つのコンピュータに、前記ＵＥと第２のワイヤレスネットワークとの間の第２の接続と関連付けられた第２のＡＰＮについての情報を記憶させるためのコードと、
前記少なくとも１つのコンピュータに、前記ＵＥと前記第１のワイヤレスネットワークとの間の前記第１の接続を切断する手順を実行させるためのコードと、
前記少なくとも１つのコンピュータに、前記手順の結果として、前記第１のＡＰＮについての情報を除去させ、前記第２のＡＰＮについての情報を保持させるためのコードと
を備える、コンピュータプログラムプロダクト。
[Ｃ１１２]  前記第１の接続を切断する手順は、パケットデータネットワーク（ＰＤＮ）切断手順またはベアラ非アクティブ化手順を備える、Ｃ１１１に記載のコンピュータプログラムプロダクト。
[Ｃ１１３]  前記コンピュータ可読媒体は、前記第２のワイヤレスネットワークから前記第１のワイヤレスネットワークへの前記ＵＥのハンドオーバに続き前記ＵＥを前記第１のワイヤレスネットワークにアタッチした後に、前記少なくとも１つのコンピュータに、前記第２のＡＰＮについての情報をモビリティ管理エンティティ（ＭＭＥ）に提供させるためのコードを備える、Ｃ１１１に記載のコンピュータプログラムプロダクト。
[Ｃ１１４]  前記少なくとも１つのコンピュータは、ホーム加入者サーバ（ＨＳＳ）を備える、Ｃ１１１に記載のコンピュータプログラムプロダクト。
[Ｃ１１５]  前記第１のワイヤレスネットワークは、第１のＡＰＮセットと関連付けられ、
前記第２のワイヤレスネットワークは、第２のＡＰＮセットと関連付けられ、
前記コンピュータ可読媒体は、前記少なくとも１つのコンピュータに、
前記第１のＡＰＮセットのうちの少なくとも１つのＡＰＮについての情報を除去させ、
前記第２のＡＰＮセットについての情報を保持させる
ためのコードを備える、Ｃ１１１に記載のコンピュータプログラムプロダクト。
[Ｃ１１６]  前記コンピュータ可読媒体は、前記第２のワイヤレスネットワークから前記第１のワイヤレスネットワークへの前記ＵＥのハンドオーバに続き前記ＵＥを前記第１のワイヤレスネットワークにアタッチした後に、前記少なくとも１つのコンピュータに、前記ＵＥによって示された前記第２のＡＰＮセットのＡＰＮについての情報をモビリティ管理エンティティ（ＭＭＥ）に提供させるためのコードを備える、Ｃ１１５に記載のコンピュータプログラムプロダクト。
【図１】
0005886272.tif 000002
【図２Ａ】
0005886272.tif 000003
【図２Ｂ】
0005886272.tif 000004
【図２Ｃ】
0005886272.tif 000005
【図３】
0005886272.tif 000006
【図４】
0005886272.tif 000007
【図５Ａ】
0005886272.tif 000008
【図５Ｂ】
0005886272.tif 000009
【図６】
0005886272.tif 000010
【図７Ａ】
0005886272.tif 000011
【図７Ｂ】
0005886272.tif 000012
【図８】
0005886272.tif 000013
【図９Ａ】
0005886272.tif 000014
【図９Ｂ】
0005886272.tif 000015
【図１０】
0005886272.tif 000016
【図１１Ａ】
0005886272.tif 000017
【図１１Ｂ】
0005886272.tif 000018
【図１２】
0005886272.tif 000019
【図１３】
0005886272.tif 000020